(57)【要約】  ワイヤレスネットワークにおいて制御情報を送るための技術を開示する。マルチキャリアユーザ機器（ＵＥ）は、第１のコンポーネントキャリア（ＣＣ）上の物理ダウンリンク制御チャネル（ＰＤＣＣＨ）上でダウンリンク許可を受信してもよい。ＵＥはまた、第２のＣＣ上の物理ダウンリンク共有チャネル（ＰＤＳＣＨ）上で、ＰＤＣＣＨに関係付けられているデータ送信を受信してもよい。いくつかの例において、ＵＥは、ＰＤＣＣＨが受信される第１のＣＣと、データ送信が受信される第２のＣＣと、第２のＣＣの送信モードとに基づいて、データ送信に応答するための物理アップリンク制御チャネル（ＰＵＣＣＨ）リソースを決定する。ＵＥは、ＰＵＣＣＨリソースに基づいて、データ送信に対する肯定応答／否定応答（ＡＣＫ／ＮＡＣＫ）情報を送ってもよい。【選択図】    図６
2013535937.tif 000002
【特許請求の範囲】
【請求項１】
ワイヤレス通信のための方法において、
物理ダウンリンク制御チャネル（ＰＤＣＣＨ）がユーザ機器（ＵＥ）によって受信される第１のコンポーネントキャリアを識別し、前記第１のＣＣは、前記ＵＥに対して設定されている複数のＣＣのうちの１つであることと、
前記ＰＤＣＣＨに関係付けられているデータ送信が前記ＵＥによって受信される第２のＣＣを識別し、前記第２のＣＣは、前記ＵＥに対して設定されている複数のＣＣのうちの１つであることと、
前記ＰＤＣＣＨが受信される第１のＣＣと、前記データ送信が受信される第２のＣＣとに基づいて、物理アップリンク制御チャネル（ＰＵＣＣＨ）リソースを決定することと、
前記ＵＥによって、前記ＰＵＣＣＨリソースに基づいて、前記データ送信に対する肯定応答／否定応答（ＡＣＫ／ＮＡＣＫ）情報を送ることとを含む方法。
【請求項２】
前記第２のＣＣの送信モードを決定することと、
前記第２のＣＣの送信モードにさらに基づいて、前記ＰＵＣＣＨリソースを決定することとをさらに含む請求項１記載の方法。
【請求項３】
前記第２のＣＣの送信モードを決定することと、
Ｋ個のトランスポートブロックが前記第２のＣＣの送信モードによってサポートされていることを決定し、ここで、Ｋは１以上であることと、
前記ＰＤＣＣＨが受信される第１のＣＣと、前記データ送信が受信される第２のＣＣとに基づいて、Ｋ個のＰＵＣＣＨリソースを決定することとをさらに含む請求項１記載の方法。
【請求項４】
前記ＰＤＣＣＨが受信される第１のＣＣを識別することは、前記第１のＣＣを前記ＵＥに対するプライマリＣＣ（ＰＣＣ）として識別することをさらに含み、
前記データ送信が受信される第２のＣＣを識別することは、前記第２のＣＣを前記ＰＣＣとして識別することをさらに含み、
前記ＰＵＣＣＨリソースを決定することは、前記ＰＣＣ上で受信される前記ＰＤＣＣＨに関係付けられている最初の制御チャネルエレメント（ＣＣＥ）の番号に基づいて、前記ＰＵＣＣＨリソースを決定することを含む請求項１記載の方法。
【請求項５】
前記ＰＤＣＣＨが受信される第１のＣＣを識別することは、前記第１のＣＣを前記ＵＥに対するプライマリＣＣ（ＰＣＣ）として識別することをさらに含み、
前記データ送信が受信される第２のＣＣを識別することは、前記第２のＣＣを前記ＵＥに対するセカンダリＣＣ（ＳＣＣ）として識別することをさらに含み、
前記ＰＵＣＣＨリソースを決定することは、前記ＰＣＣ上で受信される前記ＰＤＣＣＨに関係付けられている最初の制御チャネルエレメント（ＣＣＥ）の番号に基づいて、前記ＰＵＣＣＨリソースを決定することを含む請求項１記載の方法。
【請求項６】
前記ＰＤＣＣＨが受信される第１のＣＣを識別することは、前記第１のＣＣを前記ＵＥに対するセカンダリＣＣ（ＳＣＣ）として識別することをさらに含み、
前記データ送信が受信される第２のＣＣを識別することは、前記第２のＣＣを前記ＳＣＣとして識別することをさらに含み、
前記ＰＵＣＣＨリソースを決定することは、上位レイヤシグナリングによって前記ＵＥに対して設定されているＰＵＣＣＨリソースに基づいて、前記ＰＵＣＣＨリソースを決定することを含む請求項１記載の方法。
【請求項７】
前記ＰＤＣＣＨが受信される第１のＣＣを識別することは、前記第１のＣＣを前記ＵＥに対するプライマリＣＣ（ＰＣＣ）として識別することをさらに含み、
前記ＰＵＣＣＨリソースを決定することは、
前記第２のＣＣの送信モードが１つのトランスポートブロックをサポートしていることを決定することと、
前記ＰＣＣ上で受信される前記ＰＤＣＣＨに関係付けられている最初の制御チャネルエレメント（ＣＣＥ）の番号に基づいて、１つのＰＵＣＣＨリソースを決定することとをさらに含む請求項１記載の方法。
【請求項８】
前記ＰＤＣＣＨが受信される第１のＣＣを識別することは、前記第１のＣＣを前記ＵＥに対するプライマリＣＣ（ＰＣＣ）として識別することをさらに含み、
前記ＰＵＣＣＨリソースを決定することは、
前記第２のＣＣの送信モードが２つのトランスポートブロックをサポートしていることを決定することと、
前記ＰＣＣ上で受信される前記ＰＤＣＣＨに関係付けられている最初の制御チャネルエレメント（ＣＣＥ）の番号に基づいて、２つの連続したＰＵＣＣＨリソースを決定することとをさらに含む請求項１記載の方法。
【請求項９】
前記ＰＵＣＣＨリソースを決定することは、前記第１のＣＣ上で前記ＰＤＣＣＨを送るために使用されるリソースに基づいて、前記ＰＵＣＣＨリソースを決定することを含む請求項１記載の方法。
【請求項１０】
前記第１のＣＣ上で第１および第２のＰＤＣＣＨを受信し、前記第１のＰＤＣＣＨは、前記第１のＣＣ上での第１のデータ送信に対する第１のダウンリンク許可を含み、前記第２のＰＤＣＣＨは、前記第２のＣＣ上での第２のデータ送信に対する第２のダウンリンク許可を含むことと、
前記第１のＰＤＣＣＨの最初の制御チャネルエレメント（ＣＣＥ）の番号に基づいて、第１の組のＰＵＣＣＨリソースを決定することと、
前記第２のＰＤＣＣＨの最初のＣＣＥの番号に基づいて、第２の組のＰＵＣＣＨリソースを決定することとをさらに含む請求項１記載の方法。
【請求項１１】
前記第１の組は、前記第１のＰＤＣＣＨの最初のＣＣＥの番号に基づいて決定された、２つの連続したＰＵＣＣＨリソースを含み、前記第２の組のＰＵＣＣＨリソースは、前記第２のＰＤＣＣＨの最初のＣＣＥの番号に基づいて決定された、２つの連続したＰＵＣＣＨリソースを含む請求項１０記載の方法。
【請求項１２】
前記第１のＣＣ上で第１のＰＤＣＣＨを受信し、前記第１のＰＤＣＣＨは、前記第１のＣＣ上での第１のデータ送信に対する第１のダウンリンク許可を含むことと、
前記第２のＣＣ上で第２のＰＤＣＣＨを受信し、前記第２のＰＤＣＣＨは、前記第２のＣＣ上での第２のデータ送信に対する第２のダウンリンク許可を含むことと、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定することと、
上位レイヤシグナリングによって前記ＵＥに対して設定されているＰＵＣＣＨリソースに基づいて、前記ＵＥによる使用に対して利用可能な第２の組のＰＵＣＣＨリソースを決定することとをさらに含む請求項１記載の方法。
【請求項１３】
前記第２のＣＣ上で受信される前記データ送信に対するダウンリンク許可を前記ＰＤＣＣＨ上で受信することをさらに含む請求項１記載の方法。
【請求項１４】
前記第２のＣＣ上で受信される前記データ送信のセミパーシステントスケジューリング（ＳＰＳ）に対するメッセージを前記ＰＤＣＣＨ上で受信することをさらに含む請求項１記載の方法。
【請求項１５】
前記第２のＣＣ上で前記データ送信を受信することと、
前記受信したデータ送信に対する肯定応答／否定応答（ＡＣＫ／ＮＡＣＫ）情報を決定することとをさらに含む請求項１記載の方法。
【請求項１６】
前記ＡＣＫ／ＮＡＣＫ情報を送ることは、チャネル選択を有する予め定められているＰＵＣＣＨフォーマットに基づいて、前記ＡＣＫ／ＮＡＣＫ情報を送ることを含む請求項１５記載の方法。
【請求項１７】
前記ＡＣＫ／ＮＡＣＫ情報を送ることは、
前記決定したＰＵＣＣＨリソースから、前記ＰＵＣＣＨリソースのうちの１つを選択することと、
前記選択したＰＵＣＣＨリソース上で、前記ＡＣＫ／ＮＡＣＫ情報に対するシグナリングを送ることとを含む請求項１５記載の方法。
【請求項１８】
前記ＰＵＣＣＨリソースを決定することは、４つのＰＵＣＣＨリソースを決定することを含み、前記ＡＣＫ／ＮＡＣＫ情報は、４ビットで構成されており、
前記ＡＣＫ／ＮＡＣＫ情報を送ることは、
前記４つのＰＵＣＣＨのうちの１つを選択することと、
前記選択したＰＵＣＣＨリソース上で、前記４ビットのＡＣＫ／ＮＡＣＫ情報に対するシグナリングを送ることとを含む請求項１５記載の方法。
【請求項１９】
ワイヤレス通信のための装置において、
物理ダウンリンク制御チャネル（ＰＤＣＣＨ）がユーザ機器（ＵＥ）によって受信される第１のコンポーネントキャリアを識別し、前記第１のＣＣは、前記ＵＥに対して設定されている複数のＣＣのうちの１つである手段と、
前記ＰＤＣＣＨに関係付けられているデータ送信が前記ＵＥによって受信される第２のＣＣを識別し、前記第２のＣＣは、前記ＵＥに対して設定されている複数のＣＣのうちの１つである手段と、
前記ＰＤＣＣＨが受信される第１のＣＣと、前記データ送信が受信される第２のＣＣとに基づいて、物理アップリンク制御チャネル（ＰＵＣＣＨ）リソースを決定する手段と、
前記ＰＵＣＣＨリソースに基づいて、前記データ送信に対する肯定応答／否定応答（ＡＣＫ／ＮＡＣＫ）情報を送る手段とを具備する装置。
【請求項２０】
前記第２のＣＣの送信モードを決定する手段と、
前記第２のＣＣの送信モードにさらに基づいて、前記ＰＵＣＣＨリソースを決定する手段とをさらに具備する請求項１９記載の装置。
【請求項２１】
前記ＰＤＣＣＨが受信される第１のＣＣを識別する手段は、前記第１のＣＣを前記ＵＥに対するプライマリＣＣ（ＰＣＣ）として識別する手段を備え、
前記データ送信が受信される第２のＣＣを識別する手段は、前記第２のＣＣを前記ＰＣＣまたは前記ＵＥに対するセカンダリＣＣ（ＳＣＣ）として識別する手段を備え、
前記ＰＵＣＣＨリソースを決定する手段は、前記ＰＣＣ上で受信される前記ＰＤＣＣＨに関係付けられている最初の制御チャネルエレメント（ＣＣＥ）の番号に基づいて、前記ＰＵＣＣＨリソースを決定する手段を備える請求項１９記載の装置。
【請求項２２】
前記ＰＤＣＣＨが受信される第１のＣＣを識別する手段は、前記第１のＣＣを前記ＵＥに対するセカンダリＣＣ（ＳＣＣ）として識別する手段を備え、
前記データ送信が受信される第２のＣＣを識別する手段は、前記第２のＣＣを前記ＳＣＣとして識別する手段を備え、
前記ＰＵＣＣＨリソースを決定する手段は、上位レイヤシグナリングによって前記ＵＥに対して設定されているＰＵＣＣＨリソースに基づいて、前記ＰＵＣＣＨリソースを決定する手段を備える請求項１９記載の装置。
【請求項２３】
前記第１のＣＣ上で第１および第２のＰＤＣＣＨを受信し、前記第１のＰＤＣＣＨは、前記第１のＣＣ上での第１のデータ送信に対する第１のダウンリンク許可を含み、前記第２のＰＤＣＣＨは、前記第２のＣＣ上での第２のデータ送信に対する第２のダウンリンク許可を含む手段と、
前記第１のＰＤＣＣＨの最初の制御チャネルエレメント（ＣＣＥ）の番号に基づいて、第１の組のＰＵＣＣＨリソースを決定する手段と、
前記第２のＰＤＣＣＨの最初のＣＣＥの番号に基づいて、第２の組のＰＵＣＣＨリソースを決定する手段とをさらに具備する請求項１９記載の装置。
【請求項２４】
前記第１のＣＣ上で第１のＰＤＣＣＨを受信し、前記第１のＰＤＣＣＨは、前記第１のＣＣ上での第１のデータ送信に対する第１のダウンリンク許可を含む手段と、
前記第２のＣＣ上で第２のＰＤＣＣＨを受信し、前記第２のＰＤＣＣＨは、前記第２のＣＣ上での第２のデータ送信に対する第２のダウンリンク許可を含む手段と、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定する手段と、
上位レイヤシグナリングによって前記ＵＥに対して設定されているＰＵＣＣＨリソースに基づいて、前記ＵＥによる使用に対して利用可能な第２の組のＰＵＣＣＨリソースを決定する手段とをさらに具備する請求項１９記載の装置。
【請求項２５】
ワイヤレス通信のための装置において、
物理ダウンリンク制御チャネル（ＰＤＣＣＨ）がユーザ機器（ＵＥ）によって受信される第１のコンポーネントキャリアを識別し、前記第１のＣＣは、前記ＵＥに対して設定されている複数のＣＣのうちの１つであり、
前記ＰＤＣＣＨに関係付けられているデータ送信が前記ＵＥによって受信される第２のＣＣを識別し、前記第２のＣＣは、前記ＵＥに対して設定されている複数のＣＣのうちの１つであり、
前記ＰＤＣＣＨが受信される第１のＣＣと、前記データ送信が受信される第２のＣＣとに基づいて、物理アップリンク制御チャネル（ＰＵＣＣＨ）リソースを決定し、
前記ＵＥによって、前記ＰＵＣＣＨリソースに基づいて、前記データ送信に対する肯定応答／否定応答（ＡＣＫ／ＮＡＣＫ）情報を送る、
ように構成されている少なくとも１つのプロセッサと、
前記少なくとも１つのプロセッサに結合されているメモリとを具備する装置。
【請求項２６】
前記少なくとも１つのプロセッサは、
前記第２のＣＣの送信モードを決定し、
前記第２のＣＣの送信モードにさらに基づいて、前記ＰＵＣＣＨリソースを決定するように構成されている請求項２５記載の装置。
【請求項２７】
前記少なくとも１つのプロセッサは、
前記ＰＤＣＣＨが受信される第１のＣＣを、前記ＵＥに対するプライマリＣＣ（ＰＣＣ）として識別し、
前記データ送信が受信される第２のＣＣを、前記ＰＣＣまたは前記ＵＥに対するセカンダリＣＣ（ＳＣＣ）として識別し、
前記ＰＣＣ上で受信される前記ＰＤＣＣＨに関係付けられている最初の制御チャネルエレメント（ＣＣＥ）の番号に基づいて、利用可能な前記ＰＵＣＣＨリソースを決定するように構成されている請求項２５記載の装置。
【請求項２８】
前記少なくとも１つのプロセッサは、
前記ＰＤＣＣＨが受信される第１のＣＣを、前記ＵＥに対するセカンダリＣＣ（ＳＣＣ）として識別し、
前記データ送信が受信される第２のＣＣを、前記ＳＣＣとして識別し、
上位レイヤシグナリングによって前記ＵＥに対して設定されているＰＵＣＣＨリソースに基づいて、前記ＰＵＣＣＨリソースを決定するように構成されている請求項２５記載の装置。
【請求項２９】
前記少なくとも１つのプロセッサは、
前記第１のＣＣ上で第１および第２のＰＤＣＣＨを受信し、前記第１のＰＤＣＣＨは、前記第１のＣＣ上での第１のデータ送信に対する第１のダウンリンク許可を含み、前記第２のＰＤＣＣＨは、前記第２のＣＣ上での第２のデータ送信に対する第２のダウンリンク許可を含み、
前記第１のＰＤＣＣＨの最初の制御チャネルエレメント（ＣＣＥ）の番号に基づいて、第１の組のＰＵＣＣＨリソースを決定し、
前記第２のＰＤＣＣＨの最初のＣＣＥの番号に基づいて、第２の組のＰＵＣＣＨリソースを決定するように構成されている請求項２５記載の装置。
【請求項３０】
前記少なくとも１つのプロセッサは、
前記第１のＣＣ上で第１のＰＤＣＣＨを受信し、前記第１のＰＤＣＣＨは、前記第１のＣＣ上での第１のデータ送信に対する第１のダウンリンク許可を含み、前記第２のＣＣ上で第２のＰＤＣＣＨを受信し、前記第２のＰＤＣＣＨは、前記第２のＣＣ上での第２のデータ送信に対する第２のダウンリンク許可を含み、
前記第１のＰＤＣＣＨの最初の制御チャネルエレメント（ＣＣＥ）の番号に基づいて、第１の組のＰＵＣＣＨリソースを決定し、
上位レイヤシグナリングによって前記ＵＥに対して設定されているＰＵＣＣＨリソースに基づいて、第２の組のＰＵＣＣＨリソースを決定するように構成されている請求項２５記載の装置。
【請求項３１】
コンピュータプログラムプロダクトにおいて、
少なくとも１つのプロセッサに、物理ダウンリンク制御チャネル（ＰＤＣＣＨ）がユーザ機器（ＵＥ）によって受信される第１のコンポーネントキャリアを識別させるためのコードであって、前記第１のＣＣは、前記ＵＥに対して設定されている複数のＣＣのうちの１つであるコードと、
前記少なくとも１つのプロセッサに、前記ＰＤＣＣＨに関係付けられているデータ送信が前記ＵＥによって受信される第２のＣＣを識別させるためのコードであって、前記第２のＣＣは、前記ＵＥに対して設定されている複数のＣＣのうちの１つであるコードと、
前記少なくとも１つのプロセッサに、前記ＰＤＣＣＨが受信される第１のＣＣと、前記データ送信が受信される第２のＣＣとに基づいて、物理アップリンク制御チャネル（ＰＵＣＣＨ）リソースを決定させるためのコードと、
前記少なくとも１つのプロセッサに、前記ＵＥによって、前記ＰＵＣＣＨリソースに基づいて、前記データ送信に対する肯定応答／否定応答（ＡＣＫ／ＮＡＣＫ）情報を送らせるためのコードとを含む非一時的なコンピュータ読取り可能媒体を具備するコンピュータプログラムプロダクト。
【請求項３２】
ワイヤレス通信のための方法において、
物理ダウンリンク制御チャネル（ＰＤＣＣＨ）がユーザ機器（ＵＥ）に送られる第１のコンポーネントキャリア（ＣＣ）を識別し、前記第１のＣＣは、前記ＵＥに対して設定されている複数のＣＣのうちの１つであることと、
前記ＰＤＣＣＨに関係付けられているデータ送信が前記ＵＥに送られる第２のＣＣを識別し、前記第２のＣＣは、前記ＵＥに対して設定されている複数のＣＣのうちの１つであることと、
前記ＰＤＣＣＨが前記ＵＥに送られる第１のＣＣと、前記データ送信が前記ＵＥに送られる第２のＣＣとに基づいて、前記ＵＥによる使用に対して利用可能な物理アップリンク制御チャネル（ＰＵＣＣＨ）リソースを決定することと、
前記ＵＥから、前記ＰＵＣＣＨリソースに基づいて、前記データ送信に対する肯定応答／否定応答（ＡＣＫ／ＮＡＣＫ）情報を受信することとを含む方法。
【請求項３３】
前記第２のＣＣの送信モードを決定することと、
前記第２のＣＣの送信モードにさらに基づいて、前記ＵＥによる使用に対して利用可能な前記ＰＵＣＣＨリソースを決定することとをさらに含む請求項３２記載の方法。
【請求項３４】
前記第２のＣＣの送信モードを決定することと、
Ｋ個のトランスポートブロックが前記第２のＣＣの送信モードによってサポートされていることを決定し、ここで、Ｋは１以上であることと、
前記ＰＤＣＣＨが前記ＵＥに送られる第１のＣＣと、前記データ送信が前記ＵＥに送られる第２のＣＣとに基づいて、前記ＵＥによる使用に対して利用可能なＫ個のＰＵＣＣＨリソースを決定することとをさらに含む請求項３２記載の方法。
【請求項３５】
前記ＰＤＣＣＨが送られる第１のＣＣを識別することは、前記第１のＣＣを前記ＵＥに対するプライマリＣＣ（ＰＣＣ）として識別することをさらに含み、
前記データ送信が送られる第２のＣＣを識別することは、前記第２のＣＣを前記ＰＣＣとして識別することをさらに含み、
前記ＰＵＣＣＨリソースを決定することは、前記ＰＣＣ上で送られる前記ＰＤＣＣＨに関係付けられている最初の制御チャネルエレメント（ＣＣＥ）の番号に基づいて、前記ＵＥによる使用に対して利用可能な前記ＰＵＣＣＨリソースを決定することを含む請求項３２記載の方法。
【請求項３６】
前記ＰＤＣＣＨが送られる第１のＣＣを識別することは、前記第１のＣＣを前記ＵＥに対するプライマリＣＣ（ＰＣＣ）として識別することをさらに含み、
前記データ送信が送られる第２のＣＣを識別することは、前記第２のＣＣを前記ＵＥに対するセカンダリＣＣ（ＳＣＣ）として識別することをさらに含み、
前記ＰＵＣＣＨリソースを決定することは、前記ＰＣＣ上で送られる前記ＰＤＣＣＨに関係付けられている最初の制御チャネルエレメント（ＣＣＥ）の番号に基づいて、前記ＵＥによる使用に対して利用可能な前記ＰＵＣＣＨリソースを決定することを含む請求項３２記載の方法。
【請求項３７】
前記ＰＤＣＣＨが送られる第１のＣＣを識別することは、前記第１のＣＣを前記ＵＥに対するセカンダリＣＣ（ＳＣＣ）として識別することをさらに含み、
前記データ送信が送られる第２のＣＣを識別することは、前記第２のＣＣを前記ＳＣＣとして識別することをさらに含み、
前記ＰＵＣＣＨリソースを決定することは、上位レイヤシグナリングによって前記ＵＥに対して設定されているＰＵＣＣＨリソースに基づいて、前記ＵＥによる使用に対して利用可能な前記ＰＵＣＣＨリソースを決定することを含む請求項３２記載の方法。
【請求項３８】
前記ＰＤＣＣＨが送られる第１のＣＣは、前記ＵＥに対するプライマリＣＣ（ＰＣＣ）であり、
前記ＰＵＣＣＨリソースを決定することは、
前記第２のＣＣの送信モードが１つのトランスポートブロックをサポートしていることを決定することと、
前記ＰＣＣ上で送られる前記ＰＤＣＣＨに関係付けられている最初の制御チャネルエレメント（ＣＣＥ）の番号に基づいて、前記ＵＥによる使用に対して利用可能な１つのＰＵＣＣＨリソースを決定することとを含む請求項３２記載の方法。
【請求項３９】
前記ＰＤＣＣＨが送られる第１のＣＣは、前記ＵＥに対するプライマリＣＣ（ＰＣＣ）であり、
前記ＰＵＣＣＨリソースを決定することは、
前記第２のＣＣの送信モードが２つのトランスポートブロックをサポートしていることを決定することと、
前記ＰＣＣ上で送られる前記ＰＤＣＣＨに関係付けられている最初の制御チャネルエレメント（ＣＣＥ）の番号に基づいて、前記ＵＥによる使用に対して利用可能な２つの連続したＰＵＣＣＨリソースを決定することとを含む請求項３２記載の方法。
【請求項４０】
前記第１のＣＣ上で第１および第２のＰＤＣＣＨを送り、前記第１のＰＤＣＣＨは、前記第１のＣＣ上での第１のデータ送信に対する第１のダウンリンク許可を含み、前記第２のＰＤＣＣＨは、前記第２のＣＣ上での第２のデータ送信に対する第２のダウンリンク許可を含むことと、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定することと、
前記第２のＰＤＣＣＨの最初のＣＣＥの番号に基づいて、前記ＵＥによる使用に対して利用可能な第２の組のＰＵＣＣＨリソースを決定することとをさらに含む請求項３２記載の方法。
【請求項４１】
前記第１のＣＣ上で第１のＰＤＣＣＨを送り、前記第１のＰＤＣＣＨは、前記第１のＣＣ上での第１のデータ送信に対する第１のダウンリンク許可を含むことと、
前記第２のＣＣ上で第２のＰＤＣＣＨを送り、前記第２のＰＤＣＣＨは、前記第２のＣＣ上での第２のデータ送信に対する第２のダウンリンク許可を含むことと、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定することと、
上位レイヤシグナリングによって前記ＵＥに対して設定されているＰＵＣＣＨリソースに基づいて、前記ＵＥによる使用に対して利用可能な第２の組のＰＵＣＣＨリソースを決定することとをさらに含む請求項３２記載の方法。
【請求項４２】
前記第２のＣＣ上で送られる前記データ送信に対するダウンリンク許可を前記ＰＤＣＣＨ上で送ることをさらに含む請求項３２記載の方法。
【請求項４３】
前記第２のＣＣ上で送られる前記データ送信のセミパーシステントスケジューリング（ＳＰＳ）に対するメッセージを前記ＰＤＣＣＨ上で送ることをさらに含む請求項３２記載の方法。
【請求項４４】
前記ＡＣＫ／ＮＡＣＫ情報を受信することは、
前記ＵＥによる使用に対して利用可能な前記ＰＵＣＣＨリソースのうちの１つのリソース上で、前記ＡＣＫ／ＮＡＣＫ情報に対するシグナリングを受信することと、
前記シグナリングが受信される前記ＰＵＣＣＨリソースと、前記受信したシグナリングとに基づいて、前記ＡＣＫ／ＮＡＣＫ情報を決定することとを含む請求項３２記載の方法。
【請求項４５】
ワイヤレス通信のための装置において、
物理ダウンリンク制御チャネル（ＰＤＣＣＨ）がユーザ機器（ＵＥ）に送られる第１のコンポーネントキャリア（ＣＣ）を識別し、前記第１のＣＣは、前記ＵＥに対して設定されている複数のＣＣのうちの１つである手段と、
前記ＰＤＣＣＨに関係付けられているデータ送信が前記ＵＥに送られる第２のＣＣを識別し、前記第２のＣＣは、前記ＵＥに対して設定されている複数のＣＣのうちの１つである手段と、
前記ＰＤＣＣＨが前記ＵＥに送られる第１のＣＣと、前記データ送信が前記ＵＥに送られる第２のＣＣとに基づいて、前記ＵＥによる使用に対して利用可能な物理アップリンク制御チャネル（ＰＵＣＣＨ）リソースを決定する手段と、
前記ＵＥから、前記ＰＵＣＣＨリソースに基づいて、前記データ送信に対する肯定応答／否定応答（ＡＣＫ／ＮＡＣＫ）情報を受信する手段とを具備する装置。
【請求項４６】
前記第２のＣＣの送信モードを決定する手段と、
前記第２のＣＣの送信モードにさらに基づいて、前記ＵＥによる使用に対して利用可能な前記ＰＵＣＣＨリソースを決定する手段とをさらに具備する請求項４５記載の装置。
【請求項４７】
前記ＰＤＣＣＨが送られる第１のＣＣを識別する手段は、前記第１のＣＣを前記ＵＥに対するプライマリＣＣ（ＰＣＣ）として識別する手段を備え、
前記データ送信が送られる第２のＣＣを識別する手段は、前記第２のＣＣを前記ＰＣＣまたは前記ＵＥに対するセカンダリＣＣ（ＳＣＣ）として識別する手段を備え、
前記ＰＵＣＣＨリソースを決定する手段は、前記ＰＣＣ上で送られる前記ＰＤＣＣＨに関係付けられている最初の制御チャネルエレメント（ＣＣＥ）の番号に基づいて、前記ＵＥによる使用に対して利用可能な前記ＰＵＣＣＨリソースを決定する手段を備える請求項４５記載の装置。
【請求項４８】
前記ＰＤＣＣＨが送られる第１のＣＣを識別する手段は、前記第１のＣＣを前記ＵＥに対するセカンダリＣＣ（ＳＣＣ）として識別する手段を備え、
前記データ送信が送られる第２のＣＣを識別する手段は、前記第２のＣＣを前記ＳＣＣとして識別する手段を備え、
前記ＰＵＣＣＨリソースを決定する手段は、上位レイヤシグナリングによって前記ＵＥに対して設定されているＰＵＣＣＨリソースに基づいて、前記ＵＥによる使用に対して利用可能な前記ＰＵＣＣＨリソースを決定する手段を備える請求項４５記載の装置。
【請求項４９】
前記第１のＣＣ上で第１および第２のＰＤＣＣＨを送り、前記第１のＰＤＣＣＨは、前記第１のＣＣ上での第１のデータ送信に対する第１のダウンリンク許可を含み、前記第２のＰＤＣＣＨは、前記第２のＣＣ上での第２のデータ送信に対する第２のダウンリンク許可を含む手段と、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定する手段と、
前記第２のＰＤＣＣＨの最初のＣＣＥの番号に基づいて、前記ＵＥによる使用に対して利用可能な第２の組のＰＵＣＣＨリソースを決定する手段とをさらに具備する請求項４５記載の装置。
【請求項５０】
前記第１のＣＣ上で第１のＰＤＣＣＨを送り、前記第１のＰＤＣＣＨは、前記第１のＣＣ上での第１のデータ送信に対する第１のダウンリンク許可を含む手段と、
前記第２のＣＣ上で第２のＰＤＣＣＨを送り、前記第２のＰＤＣＣＨは、前記第２のＣＣ上での第２のデータ送信に対する第２のダウンリンク許可を含む手段と、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定する手段と、
上位レイヤシグナリングによって前記ＵＥに対して設定されているＰＵＣＣＨリソースに基づいて、前記ＵＥによる使用に対して利用可能な第２の組のＰＵＣＣＨリソースを決定する手段とをさらに具備する請求項４５記載の装置。
【請求項５１】
ワイヤレス通信のための装置において、
物理ダウンリンク制御チャネル（ＰＤＣＣＨ）がユーザ機器（ＵＥ）に送られる第１のコンポーネントキャリア（ＣＣ）を識別し、前記第１のＣＣは、前記ＵＥに対して設定されている複数のＣＣのうちの１つであり、
前記ＰＤＣＣＨに関係付けられているデータ送信が前記ＵＥに送られる第２のＣＣを識別し、前記第２のＣＣは、前記ＵＥに対して設定されている複数のＣＣのうちの１つであり、
前記ＰＤＣＣＨが前記ＵＥに送られる第１のＣＣと、前記データ送信が前記ＵＥに送られる第２のＣＣとに基づいて、前記ＵＥによる使用に対して利用可能な物理アップリンク制御チャネル（ＰＵＣＣＨ）リソースを決定し、
前記ＰＵＣＣＨリソースに基づいて、前記データ送信に対する肯定応答／否定応答（ＡＣＫ／ＮＡＣＫ）情報を受信する、
ように構成されている少なくとも１つのプロセッサと、
前記少なくとも１つのプロセッサに結合されているメモリとを具備する装置。
【請求項５２】
前記少なくとも１つのプロセッサは、
前記第２のＣＣの送信モードを決定し、
前記第２のＣＣの送信モードにさらに基づいて、前記ＵＥによる使用に対して利用可能な前記ＰＵＣＣＨリソースを決定するように構成されている請求項５１記載の装置。
【請求項５３】
前記少なくとも１つのプロセッサは、
前記ＰＤＣＣＨが送られる第１のＣＣを、前記ＵＥに対するプライマリＣＣ（ＰＣＣ）として識別し、
前記データ送信が送られる第２のＣＣを、前記ＰＣＣまたは前記ＵＥに対するセカンダリＣＣ（ＳＣＣ）として識別し、
前記ＰＣＣ上で送られる前記ＰＤＣＣＨに関係付けられている最初の制御チャネルエレメント（ＣＣＥ）の番号に基づいて、前記ＵＥによる使用に対して利用可能な前記ＰＵＣＣＨリソースを決定するように構成されている請求項５１記載の装置。
【請求項５４】
前記少なくとも１つのプロセッサは、
前記ＰＤＣＣＨが送られる第１のＣＣを、前記ＵＥに対するセカンダリＣＣ（ＳＣＣ）として識別し、
前記データ送信が送られる第２のＣＣを、前記ＳＣＣとして識別し、
上位レイヤシグナリングによって前記ＵＥに対して設定されているＰＵＣＣＨリソースに基づいて、前記ＵＥによる使用に対して利用可能な前記ＰＵＣＣＨリソースを決定するように構成されている請求項５１記載の装置。
【請求項５５】
前記少なくとも１つのプロセッサは、
前記第１のＣＣ上で第１および第２のＰＤＣＣＨを送り、前記第１のＰＤＣＣＨは、前記第１のＣＣ上での第１のデータ送信に対する第１のダウンリンク許可を含み、前記第２のＰＤＣＣＨは、前記第２のＣＣ上での第２のデータ送信に対する第２のダウンリンク許可を含み、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定し、
前記第２のＰＤＣＣＨの最初のＣＣＥの番号に基づいて、前記ＵＥによる使用に対して利用可能な第２の組のＰＵＣＣＨリソースを決定するように構成されている請求項５１記載の装置。
【請求項５６】
前記少なくとも１つのプロセッサは、
前記第１のＣＣ上で第１のＰＤＣＣＨを送り、前記第１のＰＤＣＣＨは、前記第１のＣＣ上での第１のデータ送信に対する第１のダウンリンク許可を含み、
前記第２のＣＣ上で第２のＰＤＣＣＨを送り、前記第２のＰＤＣＣＨは、前記第２のＣＣ上での第２のデータ送信に対する第２のダウンリンク許可を含み、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定し、
上位レイヤシグナリングによって前記ＵＥに対して設定されているＰＵＣＣＨリソースに基づいて、前記ＵＥによる使用に対して利用可能な第２の組のＰＵＣＣＨリソースを決定するように構成されている請求項５１記載の装置。
【請求項５７】
コンピュータプログラムプロダクトにおいて、
少なくとも１つのプロセッサに、物理ダウンリンク制御チャネル（ＰＤＣＣＨ）がユーザ機器（ＵＥ）に送られる第１のコンポーネントキャリア（ＣＣ）を識別させるためのコードであって、前記第１のＣＣは、前記ＵＥに対して設定されている複数のＣＣのうちの１つであるコードと、
前記少なくとも１つのプロセッサに、前記ＰＤＣＣＨに関係付けられているデータ送信が前記ＵＥに送られる第２のＣＣを識別させるためのコードであって、前記第２のＣＣは、前記ＵＥに対して設定されている複数のＣＣのうちの１つであるコードと、
前記少なくとも１つのプロセッサに、前記ＰＤＣＣＨが前記ＵＥに送られる第１のＣＣと、前記データ送信が前記ＵＥに送られる第２のＣＣとに基づいて、前記ＵＥによる使用に対して利用可能な物理アップリンク制御チャネル（ＰＵＣＣＨ）リソースを決定させるためのコードと、
前記少なくとも１つのプロセッサに、前記ＰＵＣＣＨリソースに基づいて、前記データ送信に対する肯定応答／否定応答（ＡＣＫ／ＮＡＣＫ）情報を受信させるためのコードとを含む非一時的なコンピュータ読取り可能媒体を具備するコンピュータプログラムプロダクト。
【発明の詳細な説明】
【優先権の主張】
【０００１】
本出願は、２０１０年８月１６日に出願された“複数のコンポーネントキャリアのための物理アップリンク制御チャネル（ＰＵＣＣＨ）リソース割り振り”と題する米国仮出願シリアル番号第６１／３７４，２１９号と、２０１１年８月１０日に出願された“複数のコンポーネントキャリアのための物理アップリンク制御チャネルリソース割り振り”と題する米国実用特許出願第１３／２０６，９７０号とに対する優先権を主張し、これらの出願は、その全体が参照によりここに組み込まれている。
【分野】
【０００２】
本開示は一般に、通信に関し、より詳細には、マルチキャリアワイヤレス通信システムにおける通信をサポートする技術に関する。
【背景】
【０００３】
ワイヤレス通信ネットワークは、音声や、ビデオや、パケットデータや、メッセージングや、ブロードキャストなどのような、さまざまな通信コンテンツを提供するために広く展開されている。これらのワイヤレスネットワークは、利用可能なネットワークリソースを共有することにより複数のユーザをサポートできる、多元接続ネットワークであってもよい。そのような多元接続ネットワークの例は、コード分割多元接続（ＣＤＭＡ）ネットワークと、時分割多元接続（ＴＤＭＡ）ネットワークと、周波数分割多元接続（ＦＤＭＡ）ネットワークと、直交ＦＤＭＡ（ＯＦＤＭＡ）ネットワークと、単一搬送波ＦＤＭＡ（ＳＣ−ＦＤＭＡ）ネットワークとを含む。
【０００４】
ワイヤレス通信ネットワークは、多数のユーザ機器（ＵＥ）に対する通信をサポートできる、多数の基地局を備えていてもよい。ＵＥは、ダウンリンクおよびアップリンクによって、基地局と通信してもよい。ダウンリンク（またはフォワードリンク）は、基地局からＵＥへの通信リンクを指し、アップリンク（またはリバースリンク）は、ＵＥから基地局への通信リンクを指す。
【０００５】
ワイヤレス通信ネットワークは、複数のコンポーネントキャリア（ＣＣ）上での動作をサポートしてもよい。ＣＣは、通信のために使用される周波数の範囲を指し、いくつかの特性に関係づけられていてもよい。例えば、ＣＣは、ＣＣ上での動作を記述するシステム情報に関係付けられていてもよい。ＣＣは、キャリア、セル、担当セル、周波数チャネルなどと呼ばれることもある。基地局は、ＵＥに対して、複数のＣＣ上でデータ送信を送ってもよい。ＵＥは、データ送信を受信およびデコードし、各データ送信が、正しく、または誤ってデコードされているかを決定してもよい。
【概要】
【０００６】
ワイヤレス通信ネットワーク中で制御情報を送るための技術を開示する。ＵＥは、ダウンリンク上の複数のＣＣおよびアップリンク上の１つ以上のＣＣに対する動作に対して構成されていてもよい。ＵＥは、ダウンリンクＣＣのうちの１つ以上のＣＣ上の、１つ以上の物理ダウンリンク制御チャネル（ＰＤＣＣＨ）上で、ダウンリンク許可を受信してもよい。ＵＥはまた、ダウンリンクＣＣのうちの１つ以上のＣＣ上の、１つ以上の物理ダウンリンク共有チャネル（ＰＤＳＣＨ）上で、ＰＤＣＣＨに関係付けられているデータ送信を受信してもよい。ＵＥは、受信したデータ送信に対するＡＣＫ／ＮＡＣＫ情報を決定してもよく、アップリンクＣＣ上の物理アップリンク制御チャネル（ＰＵＣＣＨ）上で、ＡＣＫ／ＮＡＣＫ情報を送ってもよい。
【０００７】
１つの観点において、ＵＥは、ダウンリンク許可を搬送するＰＤＣＣＨが受信される第１のＣＣと、対応するデータ送信が受信される第２のＣＣとに基づいて、ＡＣＫ／ＮＡＣＫ情報を送るためのＰＵＣＣＨリソースを決定する。第１のＣＣおよび第２のＣＣは、同じＣＣまたは異なるＣＣであってもよく、データ送信を受信するＵＥのプライマリＣＣ（ＰＣＣ）またはセカンダリＣＣ（ＳＣＣ）であるとして識別されてもよい。ＰＵＣＣＨリソースの数は、第２のＣＣの送信モードに少なくとも部分的に基づいていてもよい。
【０００８】
ＵＥは、特定の送信シナリオに応答して、ＰＵＣＣＨリソースを決定してもよい。１つの観点において、ＰＤＣＣＨは、同じくプライマリＣＣ（ＰＣＣ）上で送られるデータ送信に対して、ＰＣＣ上で送られてもよい。ＵＥは、ＰＣＣ上のＰＤＣＣＨに関係付けられている（例えば、ＰＤＣＣＨを送るために使用される）最初のチャネル制御エレメント（ＣＣＥ）の番号に基づいて、ＡＣＫ／ＮＡＣＫ情報を送るためのＰＵＣＣＨリソースを決定してもよい。別の観点において、ＰＤＣＣＨは、セカンダリＣＣ（ＳＣＣ）上で送られるデータ送信に対して、ＰＣＣ上で送られてもよい。ＵＥは、ＰＣＣ上で受信したＰＤＣＣＨに関係付けられている最初のＣＣＥの番号に基づいて、データ送信に応答するためのＰＵＣＣＨリソースを決定してもよい。さらに別の観点において、ＰＤＣＣＨは、同じくＳＣＣ上で送られるデータ送信に対して、ＵＥのＳＣＣ上で送られてもよい。ＵＥは、上位レイヤシグナリングによってＵＥに対して設定されているＰＵＣＣＨリソースに基づいて、ＰＵＣＣＨリソースを決定してもよい。さまざまな追加の観点を以下で説明する。
【図面の簡単な説明】
【０００９】
【図１】図１は、ワイヤレス通信ネットワークを示す。
【図２】図２は、例示的なフレーム構造を示す。
【図３】図３は、ＨＡＲＱを伴う、２つのＣＣ上での例示的なデータ送信を示す。
【図４Ａ】図４Ａは、１つのＣＣ上での例示的なデータ送信を示す。
【図４Ｂ】図４Ｂは、クロスキャリアスケジューリングを有する２つのＣＣ上での例示的なデータ送信を示す。
【図４Ｃ】図４Ｃは、同じキャリアスケジューリングを有する２つのＣＣ上での例示的なデータ送信を示す。
【図５】図５は、マルチキャリアワイヤレス通信システムにおいて制御情報を送るための例示的なプロセスを示す。
【図６】図６は、マルチキャリアワイヤレス通信システムにおいて制御動作を受信するための例示的なプロセスを示す。
【図７】図７は、本開示にしたがった、基地局およびＵＥの観点を示しているブロックダイヤグラムである。
【図８】図８は、本開示にしたがった、基地局およびＵＥのさらなる観点を示しているブロックダイヤグラムである。
【詳細な説明】
【００１０】
ここで記述する技術は、ＣＤＭＡネットワークや、ＴＤＭＡネットワークや、ＦＤＭＡネットワークや、ＯＦＤＭＡネットワークや、ＳＣ−ＦＤＭＡネットワークや、他のワイヤレスネットワークのような、さまざまなワイヤレス通信ネットワークに対して使用してもよい。用語“ネットワーク”および“システム”は、区別なく使用されることが多い。ＣＤＭＡネットワークは、ユニバーサル地上無線アクセス（ＵＴＲＡ）や、ｃｄｍａ２０００などのような無線技術を実現できる。ＵＴＲＡは、広帯域ＣＤＭＡ（ＷＣＤＭＡ（登録商標））と、時分割同期ＣＤＭＡ（ＴＤ−ＳＣＤＭＡ）と、ＣＤＭＡの他の変形体とを含む。ｃｄｍａ２０００は、ＩＳ−２０００、ＩＳ−９５およびＩＳ−８５６の標準規格をカバーする。ＴＤＭＡネットワークは、移動体通信用グローバルシステム（ＧＳＭ（登録商標））のような無線技術を実現できる。ＯＦＤＭＡネットワークは、進化型ＵＴＲＡ（Ｅ−ＵＴＲＡ）や、ウルトラモバイルブロードバンド（ＵＭＢ）や、ＩＥＥＥ８０２．１１（Ｗｉ−ＦｉおよびＷｉ−Ｆｉダイレクト）や、ＩＥＥＥ８０２．１６（ＷｉＭＡＸ）や、ＩＥＥＥ８０２．２０や、フラッシュ−ＯＦＤＭ（登録商標）などのような無線技術を実現できる。
【００１１】
ＵＴＲＡおよびＥ−ＵＴＲＡは、ユニバーサル移動体電気通信システム（ＵＭＴＳ）の一部である。周波数分割複信（ＦＤＤ）および時分割複信（ＴＤＤ）の両方における、３ＧＰＰロングタームエボリューション（ＬＴＥ）と、ＬＴＥ−アドバンスト（ＬＴＥ−Ａ）は、Ｅ−ＵＴＲＡを使用するＵＭＴＳの新しいリリースであり、ダウンリンク上でＯＦＤＭＡを用い、アップリンク上でＳＣ−ＦＤＭＡを用いる。ＵＴＲＡ、Ｅ−ＵＴＲＡ、ＵＭＴＳ、ＬＴＥ、ＬＴＥ−ＡおよびＧＳＭは、“第３世代パートナーシップ・プロジェクト”（３ＧＰＰ）と名付けられた組織からの文書で説明されている。ｃｄｍａ２０００およびＵＭＢは、“第３世代パートナーシップ・プロジェクト２”（３ＧＰＰ２）と名付けられた組織からの文書で説明されている。ここで記述する技術は、上述したワイヤレスネットワークおよび無線技術に対してだけでなく、他のワイヤレスネットワークおよび無線技術に対しても使用してもよい。明瞭にするために、本開示の技術は主に、ＬＴＥに対して記述し、ＬＴＥの専門用語をここでの記述の多くにおいて使用する。
【００１２】
図１は、ワイヤレス通信ネットワーク１００を示し、ワイヤレス通信ネットワーク１００は、ＬＴＥネットワークまたは他の何らかのワイヤレスネットワークであってもよい。ワイヤレスネットワーク１００は、多数の進化型ノードＢ（ｅＮＢ）１１０と他のネットワークエンティティとを含んでいてもよい。ｅＮＢは、ＵＥと通信するエンティティであってもよく、ノードＢ、基地局、アクセスポイントなどと呼ばれることもある。各ｅＮＢ１１０は、特定の地理的エリアに対する通信カバレッジを提供してもよく、カバレッジエリア内に位置しているＵＥに対する通信をサポートしてもよい。ネットワーク容量を向上させるために、ｅＮＢの全カバレッジエリアは、複数の（例えば、３つの）より小さいエリアに分割されていてもよい。より小さい各エリアは、それぞれのｅＮＢサブシステムによって担当されてもよい。３ＧＰＰにおいて、用語“セル”は、ｅＮＢのカバレッジエリアおよび／またはこのカバレッジエリアを担当しているｅＮＢサブシステムを指すことができる。一般に、ｅＮＢは、１つまたは複数の（例えば、３つの）セルをサポートしてもよい。用語“セル”は、ｅＮＢが動作するキャリアを指すこともある。
【００１３】
示されているように、ネットワーク制御装置１３０が、１組のｅＮＢに結合して、これらのｅＮＢに対して調整および制御を提供してもよい。ネットワーク制御装置１３０は、バックホールによりｅＮＢと通信してもよい。ｅＮＢ１１０はまた、例えば、ワイヤレスまたはワイヤーラインのバックホールにより、直接または間接的に、互いに通信してもよい。
【００１４】
ＵＥ１２０は、ワイヤレスネットワーク１００全体にわたって分散していてもよい。各ＵＥ１２０は、静止型または移動型であってもよい。ＵＥはまた、ここでは、移動局、端末、アクセス端末、加入者ユニット、局、ワイヤレスデバイスなどと呼ばれることもある。ＵＥは、セルラ電話機、スマート電話機、タブレット、ワイヤレス通信デバイス、パーソナルデジタルアシスタント（ＰＤＡ）、ワイヤレスモデム、ハンドヘルドデバイス、ラップトップコンピュータ、コードレス電話機、ワイヤレスローカルループ（ＷＬＬ）局、ネットブック、スマートブックなどであってもよい。
【００１５】
ＬＴＥは、ダウンリンク上で直交周波数分割多重（ＯＦＤＭ）を利用し、アップリンク上で単一搬送波周波数分割多重（ＳＣ−ＦＤＭ）を利用する。ＯＦＤＭおよびＳＣ−ＦＤＭは、周波数スペクトルを、一般にトーン、ビンなどとも呼ばれる複数（ＮFFT本）の直交するサブキャリアに分割する。各サブキャリアをデータにより変調してもよい。一般に、変調シンボルは、ＯＦＤＭでは周波数領域中で送られ、ＳＣ−ＦＤＭでは時間領域中で送られる。隣接するサブキャリア間の間隔は、固定されていてもよく、サブキャリアの総数（ＮFFT本）は、システム帯域幅に依存してもよい。例えば、サブキャリアの間隔は、１５キロヘルツ（ＫＨｚ）であってもよく、ＮFFTは、それぞれ、１．４、３、５、１０または２０メガヘルツ（ＭＨｚ）のシステム帯域幅に対して、１２８、２５６、５１２、１０２４または２０４８に等しくてもよい。
【００１６】
ワイヤレスネットワーク１００は、ＦＤＤまたはＴＤＤを利用してもよい。ＦＤＤに対して、異なる周波数スペクトルが、ダウンリンクおよびアップリンクに対して割り振られてもよい。ダウンリンク送信は、１つの周波数スペクトル上で送られ、アップリンク送信は、別の周波数スペクトル上で送られてもよい。ＴＤＤに対して、ダウンリンクおよびアップリンクは、同じ周波数スペクトルを共有してもよく、ダウンリンクおよびアップリンクの送信は、異なる時間間隔において同じ周波数スペクトル上で送られてもよい。
【００１７】
図２は、ＬＴＥシステムにおけるＦＤＤに対する例示的なフレーム構造２００を示す。ダウンリンクおよびアップリンクのそれぞれに対する送信タイムラインは、無線フレームの単位に区分されてもよい。各無線フレームは、予め定められている継続時間（例えば、１０ミリ秒（ｍｓ））を有していてもよく、０ないし９のインデックスを有する１０個のサブフレームに区分されてもよい。各サブフレームは、２つのスロットを含んでいてもよい。各スロットは、Ｌ個のシンボル期間、例えば、（図２中で示されているような）標準サイクリックプレフィックスに対する７個のシンボル期間、または、拡張サイクリックプレフィックスに対する６個のシンボル期間を含んでいてもよい。各サブフレームにおける２Ｌ個のシンボル期間には、０ないし２Ｌ−１のインデックスが割り当てられていてもよい。ダウンリンクおよびアップリンクのそれぞれに対する利用可能な時間周波数リソースは、リソースブロックに区分されてもよい。各リソースブロックは、１つのスロットにおいて１２本のサブキャリアをカバーしてもよく、多数のリソースエレメントを含んでいてもよい。各リソースエレメントは、１つのシンボル期間における１本のサブキャリアをカバーしてもよく、１つの変調シンボルを送るために使用されてもよい。変調シンボルは、実数値または複素数値であってもよい。
【００１８】
ダウンリンクに対するサブフレーム（すなわち、ダウンリンクサブフレーム）は、制御領域およびデータ領域を含んでいてもよく、制御領域およびデータ領域は、図２中で示されているように時分割多重化（ＴＤＭ）されていてもよい。制御領域は、サブフレームの最初のＱ個のシンボル期間を含んでいてもよく、ここで、Ｑは、１、２、３または４に等しくてもよい。Ｑは、サブフレームごとに変化してもよく、サブフレームの最初のシンボル期間において伝達されてもよい。データ領域は、サブフレームの、残りの２Ｌ−Ｑ個のシンボル期間を含んでいてもよい。ｅＮＢは、制御領域中の物理ダウンリンク制御チャネル（ＰＤＣＣＨ）上で、ダウンリンク制御情報（ＤＣＩ）をＵＥに送ってもよい。ＤＣＩは、ダウンリンク許可、アップリンク許可、電力制御情報などを含んでいてもよい。ｅＮＢは、データ領域中の物理ダウンリンク共有チャネル（ＰＤＳＣＨ）上で、データおよび／または他の情報をＵＥに送ってもよい。
【００１９】
アップリンクに対するサブフレーム（すなわち、アップリンクサブフレーム）は、制御領域およびデータ領域を含んでいてもよく、制御領域およびデータ領域は、図２中で示されているように周波数分割多重化（ＦＤＭ）されていてもよい。制御領域は、（図２中で示されているように）アップリンクスペクトルの２つの端の近くのリソースブロックを含んでいてもよく、設定可能なサイズを有していてもよい。データ領域は、制御領域中に含まれていない、すべてのリソースブロックを含んでいてもよい。ＵＥは、制御領域中の物理アップリンク制御チャネル（ＰＵＣＣＨ）上で、アップリンク制御情報（ＵＣＩ）をｅＮＢに送ってもよい。ＵＣＩは、ダウンリンク上で送られたデータ送信に対するＡＣＫ／ＮＡＣＫ情報、チャネル品質インジケータ（ＣＱＩ）情報、スケジューリング要求などを含んでいてもよい。ＵＥは、データ領域中の物理アップリンク共有チャネル（ＰＵＳＣＨ）上で、データだけを、または、データおよびＵＣＩの両方を、ｅＮＢに送ってもよい。ＰＵＣＣＨまたはＰＵＳＣＨ上でのアップリンク送信は、サブフレームの両方のスロットにわたっていてもよく、周波数全体にわたってホップしてもよい。
【００２０】
ワイヤレスネットワーク１００は、ダウンリンク上の複数のＣＣと、アップリンク上の１つ以上のＣＣとを有する、マルチキャリア動作をサポートしてもよい。複数のＣＣ上での動作は、キャリアアグリゲーション（ＣＡ）と呼ばれることもある。ダウンリンクに対するＣＣは、ダウンリンクＣＣと呼ばれることもあり、アップリンクに対するＣＣは、アップリンクＣＣと呼ばれることもある。ｅＮＢは、１つ以上のダウンリンクＣＣ上で、データおよび／またはＤＣＩをＵＥに送信してもよい。ＵＥは、１つ以上のアップリンクＣＣ上で、データおよび／またはＵＣＩをｅＮＢに送信してもよい。
【００２１】
ワイヤレスネットワーク１００は、信頼性を向上させるために、ハイブリッド自動再送要求（ＨＡＲＱ）を有するデータ送信をサポートしてもよい。ＨＡＲＱに対して、送信機（例えば、ｅＮＢ）は、トランスポートブロックの最初の送信を送ってもよく、必要であれば、トランスポートブロックが受信機によって正しくデコードされるまで、または、トランスポートブロックの、最大数の送信が発生するまで、あるいは、他の何らかの終了条件に出会うまで、トランスポートブロックの１つ以上の追加の送信を送ってもよい。トランスポートブロックの各送信後に、受信機は、受信したすべてのトランスポートブロックの送信をデコードして、トランスポートブロックを回復することを試みてもよい。受信機は、トランスポートブロックが正しくデコードされた場合、肯定応答（ＡＣＫ）を、トランスポートブロックが誤ってデコードされた場合、否定応答（ＮＡＣＫ）を、または、トランスポートブロックが取りそこなわれた場合、不連続送信（ＤＴＸ）を送ってもよい。送信機は、ＮＡＣＫまたはＤＴＸが受信された場合、トランスポートブロックの別の送信を送ってもよく、ＡＣＫが受信された場合、トランスポートブロックの送信を終了させてもよい。トランスポートブロックは、パケット、コードワード、データブロックなどと呼ばれることもある。データ送信は、１つ以上のトランスポートブロックを含んでいてもよい。
【００２２】
図３は、ＨＡＲＱを有する２つのダウンリンクＣＣ上でのデータ送信を示す。ＵＥは、ｅＮＢに対して、異なるダウンリンクＣＣのダウンリンクチャネル品質を定期的に推定してもよく、ＣＱＩをｅＮＢに送ってもよい（図３中で示していない）。ｅＮＢは、ＣＱＩおよび／または他の情報を使用して、ダウンリンク上でのデータ送信に対するＵＥを選択し、１つ以上のダウンリンクＣＣ上でＵＥをスケジュールし、スケジュールされた各ＣＣに対するＵＥに対して、１つ以上の変調およびコーディングスキーム（ＭＣＳ）を選択してもよい。ｅＮＢは、スケジュールされた各ＣＣに対して選択されたＭＣＳに基づいて、そのＣＣに対する１つ以上のトランスポートブロックを処理（例えば、エンコードおよび変調）してもよい。ｅＮＢは、サブフレームｔにおいて、スケジュールされた各ＣＣ上で１つ以上のトランスポートブロックのデータ送信をＵＥに送ってもよい。
【００２３】
ＵＥは、スケジュールされた各ＣＣ上でのデータ送信を受信およびデコードしてもよい。ＵＥは、各トランスポートブロックが正しくデコードされたか、または、誤ってデコードされたかを決定してもよい。各トランスポートブロックに対して、ＵＥは、トランスポートブロックが正しくデコードされた場合、ＡＣＫを、または、トランスポートブロックが誤ってデコードされた場合、ＮＡＣＫを取得してもよい。ＵＥは、サブフレームｔ＋Ｄにおいて、すべてのトランスポートブロックに対して、ＡＣＫおよび／またはＮＡＣＫを含むＡＣＫ／ＮＡＣＫ情報を送ってもよい。ＡＣＫ／ＮＡＣＫ情報は、ＨＡＲＱフィードバック、ＡＣＫ／ＮＡＣＫなどと呼ばれることもある。Ｄは、ＨＡＲＱフィードバック遅延であり、（図３中で示したような）４または他の何らかの値に等しくてもよい。ｅＮＢは、ＡＣＫ／ＮＡＣＫ情報をＵＥから受信し、ＡＣＫが受信された各トランスポートブロックの送信を終了し、ＮＡＣＫが受信された各トランスポートブロックの別の送信を送ってもよい。
【００２４】
現在の例において、ＵＥは、１つのサブフレームにおいて、何らかの数のダウンリンクＣＣ上でデータ送信を受信してもよい。さらに、ＵＥは、スケジュールされた各ＣＣ上で１つ以上のトランスポートブロックのデータ送信を受信してもよい。１つの設計において、ＵＥは、図３中で示したように、１つのアップリンクＣＣ上での１つのＡＣＫ／ＮＡＣＫ送信において、すべてのダウンリンクＣＣ上で受信したすべてのトランスポートブロックに対するＡＣＫ／ＮＡＣＫ情報を送ってもよい。より一般に、ＵＥは、マルチキャリア動作に対して、任意の数のダウンリンクＣＣと、任意の数のアップリンクＣＣとにより構成されていてもよい。いくつかのシステムにおいて、１つのダウンリンクＣＣが、ダウンリンクプライマリＣＣ（ＰＣＣ）として指定されてもよく、１つのアップリンクＣＣが、アップリンクＰＣＣとして指定されてもよく、残りの各ＣＣは、セカンダリＣＣ（ＳＣＣ）として参照されてもよい。ｅＮＢは、いくつかの情報（例えば、ダウンリンク許可、アップリンク許可、および／または、ＡＣＫ／ＮＡＣＫ）を、ダウンリンクＰＣＣ上でＵＥに送ってもよい。ＵＥは、いくつかの情報（例えば、ＡＣＫ／ＮＡＣＫ）を、アップリンクＰＣＣ上でｅＮＢに送ってもよい。
【００２５】
図４Ａは、単一キャリア動作に対する、１つのダウンリンクＣＣ上でのデータ送信の例を示す。ｅＮＢは、サブフレームｔの制御領域において、ＰＤＣＣＨ上でダウンリンク（ＤＬ）許可をＵＥに送ってもよい。ダウンリンク許可は、ｅＮＢからＵＥへのデータ送信に対する、さまざまなパラメータを含んでいてもよい。ｅＮＢは、サブフレームｔのデータ領域において、ＰＤＳＣＨ上でＵＥへのデータ送信を送ってもよい。ＵＥは、データ送信を受信および処理してもよく、現在の例において、サブフレームｔ＋４の制御領域において、ＰＵＣＣＨ上でＡＣＫ／ＮＡＣＫ情報を送ってもよい。
【００２６】
図４Ｂは、クロスキャリアスケジューリングを有するマルチキャリア動作に対する、２つのダウンリンクＣＣ上でのデータ送信の例を示す。この例において、ＵＥは、（ｉ）ダウンリンクＰＣＣおよびダウンリンクＳＣＣを含む２つのダウンリンクＣＣ、および、（ｉｉ）アップリンクＰＣＣおよびダウンリンクＳＣＣを含む２つのアップリンクＣＣ、上でのマルチキャリア動作に対して構成されていてもよい。サブフレームｔにおいて、ｅＮＢは、ダウンリンクＰＣＣ上で、第１のＰＤＣＣＨ上での第１のダウンリンク許可と、第２のＰＤＣＣＨ上での第２のダウンリンク許可とを、ＵＥに送ってもよい。第１のダウンリンク許可は、ダウンリンクＰＣＣ上での第１のデータ送信に対する、さまざまなパラメータを含んでいてもよい。第２ダウンリンク許可は、ダウンリンクＳＣＣ上での第２のデータ送信に対する、さまざまなパラメータを含んでいてもよい。第２のダウンリンク許可は、関係するデータ送信が送られる特定のＣＣを示すキャリアインジケーションフィールド（ＣＩＦ）を含んでいてもよい。ｅＮＢは、サブフレームｔにおいて、ダウンリンクＰＣＣ上で、ＰＤＳＣＨ上での第１のデータ送信と、ダウンリンクＳＣＣ上で、ＰＤＳＣＨ上での第２のデータ送信とを、ＵＥに送ってもよい。ＵＥは、第１および第２のデータ送信を受信して処理してもよく、サブフレームｔ＋４において、アップリンクＰＣＣ上のＰＵＣＣＨ上で、両方のデータ送信に対するＡＣＫ／ＮＡＣＫ情報を送ってもよい。
【００２７】
図４Ｃは、クロスキャリアスケジューリングを有さないマルチキャリア動作に対する、２つのダウンリンクＣＣ上でのデータ送信の例を示す。この例において、ｅＮＢは、ダウンリンクＰＣＣ上の第１のＰＤＣＣＨ上で第１のダウンリンク許可をＵＥに送ってもよい。第１のダウンリンク許可は、サブフレームｔにおいて送られてもよい。ｅＮＢはまた、ダウンリンクＳＣＣ上の第２のＰＤＣＣＨ上で、サブフレームｔにおいて第２のダウンリンク許可を送ってもよい。第１のダウンリンク許可は、ダウンリンクＰＣＣ上での第１のデータ送信に対する、さまざまなパラメータを含んでいてもよい。第２のダウンリンク許可は、ダウンリンクＳＣＣ上での第２のデータ送信に対する、さまざまなパラメータを含んでいてもよい。ｅＮＢは、サブフレームｔにおいて、ダウンリンクＰＣＣ上のＰＤＳＣＨ上で第１のデータ送信と、ダウンリンクＳＣＣ上のＰＤＳＣＨ上で第２のデータ送信とをＵＥに送ってもよい。ＵＥは、第１および第２のデータ送信を受信および処理して、サブフレームｔ＋４において、アップリンクＰＣＣ上のＰＵＣＣＨ上で、両方のデータ送信に対するＡＣＫ／ＮＡＣＫ情報を送ってもよい。
【００２８】
図４Ａないし４Ｃは、ダイナミックなスケジューリングを有するデータ送信を示す。ダイナミックにスケジュールされるデータ送信に対して、ダウンリンク許可は、特定のダウンリンクＣＣ上のＰＤＳＣＨ上でのデータ送信をスケジュールするために、ＰＤＣＣＨ上で送られてもよい。セミパーシステントスケジューリング（semi-persistent scheduling（ＳＰＳ））を有するデータ送信をサポートしてもよい。ＳＰＳに対して、ＵＥは、ダウンリンクＣＣ上でのデータ送信に対するパラメータにより、セミスタティックに（semi-statically）構成されていてもよく、それにより、各データ送信は、ＰＤＣＣＨ上でダウンリンク許可を送ることなく発生する。１つの例において、ＳＰＳは、ダウンリンクＰＣＣ上でのみサポートされていてもよい。別の例において、ＳＰＳは、任意のダウンリンクＣＣ上でサポートされていてもよい。
【００２９】
ＵＥは、ＰＵＣＣＨリソースに基づいて、ダウンリンクデータ送信に対するＡＣＫ／ＮＡＣＫ情報を送ってもよい。ＰＵＣＣＨリソースは、時間−周波数リソース（例えば、１つ以上のリソースブロック）、基準信号シーケンス（例えば、Ｚａｄｏｆｆ−Ｃｈｕシーケンスの特定のサイクリックシフト）、直交シーケンス（例えば、特定のウォルシュシーケンスまたはＤＦＴシーケンス）、あるいは、これらのおよび他のリソースの組み合わせを含んでいてもよい。ＡＣＫ／ＮＡＣＫ情報を送るために使用されるＰＵＣＣＨリソースが決定される方法は、変化してもよい。
【００３０】
単一キャリア動作に対して、ダウンリンクＣＣ上でのデータ送信に対するダウンリンク許可は、１、２、４または８個の制御チャネルエレメント（ＣＣＥ）中のＰＤＣＣＨ上で送られてもよい。各ＣＣＥは、９個のリソースエレメントグループを含んでいてもよく、各リソースエレメントグループは、４個のリソースエレメントを含んでいてもよい。ＰＤＣＣＨに関係付けられているデータ送信に対するＡＣＫ／ＮＡＣＫ情報は、次のように決定してもよい、ＰＵＣＣＨリソース上で送られてもよい：
【数１】
2013535937.tif 000003
【００３１】
ここで、ｎCCEは、ダウンリンク許可を搬送するＰＤＣＣＨを送るために使用される最初のＣＣＥの番号であり、ｎ(1)PUCCHは、ＡＣＫ／ＮＡＣＫ情報を送るために使用するＰＵＣＣＨリソースのインデックスであり、Ｎ(1)PUCCHは、例えば、無線リソース制御（ＲＲＣ）のような、上位レイヤによって設定されるパラメータである。
【００３２】
最初のＣＣＥの番号である、ｎCCEは、ダウンリンク許可を搬送するＰＤＣＣＨを送るために使用されるすべてのＣＣＥの中の最も低いインデックスに対応してもよい。ＰＤＣＣＨを有さずに送られるデータ送信（例えば、セミパーシステントにスケジュールされるデータ送信）に対するＡＣＫ／ＮＡＣＫ情報は、上位レイヤの設定に基づいて決定されるＰＵＣＣＨリソース上で送られてもよい。
【００３３】
マルチキャリア動作に対して、複数のダウンリンクＣＣ上での複数のデータ送信に対するＡＣＫ／ＮＡＣＫ情報は、図４Ｂないし４Ｃ中で示されているように、１つのアップリンクＣＣ上のＰＵＣＣＨ上で送られてもよい。この単一のアップリンクＣＣは、所定のＵＥに対してセミスタティックに設定され、ＰＵＣＣＨ上でＡＣＫ／ＮＡＣＫ情報を送るために使用されてもよい。ＵＥに固有のアップリンクＣＣは、ＵＥに対するアップリンクＰＣＣであってもよい。１つの例において、ダウンリンクＰＣＣ上でのデータ送信に対してＡＣＫ／ＮＡＣＫ情報を送るために使用するＰＵＣＣＨリソースは、次のように決定される：
【数２】
2013535937.tif 000004
【００３４】
ここで、ｎCCE,PCCは、ダウンリンクＰＣＣ上でダウンリンク許可を搬送するＰＤＣＣＨを送るために使用される最初のＣＣＥの番号であり、ｎ(1)PUCCH,PCCは、ダウンリンクＰＣＣ上でのデータ送信に対してＡＣＫ／ＮＡＣＫ情報を送るために使用するＰＵＣＣＨリソースのインデックスである。
【００３５】
数式（１）および（２）中で示されているように、ダウンリンクＰＣＣ上のＰＵＣＣＨ上で送られるダウンリンク許可によってスケジュールされるデータ送信に対してＡＣＫ／ＮＡＣＫ情報を送るために使用するＰＵＣＣＨリソースは、単一キャリア動作におけるダウンリンクデータ送信のケースと同様の方法で決定されてもよい。アップリンクＰＣＣ上のＰＵＣＣＨリソースは、ダウンリンクＰＣＣ上のＰＤＣＣＨリソース（例えば、ＰＤＣＣＨの最初のＣＣＥ）に暗黙的にマッピングされてもよい。この暗黙のマッピングは、ＰＵＣＣＨリソースを伝達するシグナリングを送るためのオーバーヘッドを回避し得る。
【００３６】
一般に、１つまたは複数のトランスポートブロックが、所定のサブフレーム中の各ダウンリンクＣＣ上で送られてもよい。例えば、１つのトランスポートブロックは、ＬＴＥリリース９における送信モード１、２、５、６および７によってサポートされているような、単一入力単一出力（ＳＩＳＯ）または単一入力複数出力（ＳＩＭＯ）に対して設定されているダウンリンクＣＣ上で送られてもよい。１つまたは２つのトランスポートブロックは、ＬＴＥリリース９における送信モード３、４および８によってサポートされているような、複数入力複数出力（ＭＩＭＯ）に対して設定されているダウンリンクＣＣ上で送られてもよい。
【００３７】
１つの観点において、ＵＥは、２つまでのダウンリンクＣＣ上でのデータ送信に対してスケジュールされてもよく、２つまでのトランスポートブロックが、スケジュールされた各ＣＣ上で送られてもよい。この状況において、４つまでのトランスポートブロックが、所定のサブフレーム中の２つまでのダウンリンクＣＣ上でＵＥに送られてもよい。それゆえに、４ビットまでのＡＣＫ／ＮＡＣＫ情報が、サブフレーム中のトランスポートブロックの受信に応答するために生成されてもよい。データ送信が、所定のサブフレーム中の唯一のダウンリンクＣＣ（例えば、ダウンリンクＰＣＣ）上でスケジュールされるとき、２つまでのトランスポートブロックが、ダウンリンクＣＣ上でＵＥに送られてもよく、２ビットまでのＡＣＫ／ＮＡＣＫ情報が、トランスポートブロックに応答するために生成されてもよい。
【００３８】
１つの観点において、複数のダウンリンクＣＣ上での複数のデータ送信に対するＡＣＫ／ＮＡＣＫ情報は、予め定められているＰＵＣＣＨフォーマットおよびチャネル選択に基づいて送られてもよい。予め定められているＰＵＣＣＨフォーマットは、ＬＴＥにおけるＰＵＣＣＨフォーマット１ｂであってもよく、これは、１つのサブフレーム中の１対のリソースブロック上のＰＵＣＣＨ上での２ビットの情報の送信をサポートする。チャネル選択により、複数のＰＵＣＣＨリソースが、ＵＥによる使用のために利用可能であってもよく、１つのＰＵＣＣＨリソースが、使用のために選択されてもよい。２ビットの情報／シグナリングが、ＡＣＫ／ＮＡＣＫ情報を伝達するために、選択されたＰＵＣＣＨリソース上で送られてもよい。特に、ＡＣＫ／ＮＡＣＫ情報は、情報／シグナリングだけでなく、ＰＵＣＣＨリソース上で送られる実際の情報／シグナリングも送るために使用される特定のＰＵＣＣＨリソースにマッピングされてもよい。チャネル選択により、ＵＥは、１つのＰＵＣＣＨリソース上でＡＣＫ／ＮＡＣＫ情報を含むＰＵＣＣＨ送信を送ることが可能になり、これは、ＵＥがより低いピーク対平均電力比（ＰＡＰＲ）を有する単一のキャリア波形を維持することを可能にする。
【００３９】
チャネル選択は、さまざまな方法で実現されてもよい。１つの例において、１つ以上のビットのＡＣＫ／ＮＡＣＫ情報が、利用可能なＰＵＣＣＨリソースのうちの１つを選択するために使用されてもよく、１つ以上の残りのビットのＡＣＫ／ＮＡＣＫ情報が、選択されたＰＵＣＣＨリソース上で送られてもよい。別の例において、送るための特定の情報／シグナリングと、ＡＣＫ／ＮＡＣＫ情報の、可能性のある各組の値に対する情報／シグナリングを送るために使用する特定のＰＵＣＣＨリソースとを示すように、マッピングテーブルを定義してもよい。チャネル選択はまた、他の方法で実現されてもよい。
【００４０】
１つ以上のダウンリンクＣＣ上でのデータ送信に関連して、ＡＣＫ／ＮＡＣＫ情報を送るためにＵＥに利用可能なＰＵＣＣＨリソースは、さまざまな方法で決定されてもよい。１つの例において、利用可能なＰＵＣＣＨリソースは、データ送信が１つ以上のダウンリンク許可によってダイナミックにスケジュールされるか、または、ＳＰＳによってセミスタティックにスケジュールされるかに基づいて、決定されてもよい。１つの例において、ダイナミックにスケジュールされるデータ送信に対して、利用可能なＰＵＣＣＨリソースは、スケジュールされるＣＣに対するダウンリンク許可を搬送するＰＤＣＣＨを送るために使用される特定のダウンリンクＣＣに依存してもよい。
【００４１】
１つの観点において、ダウンリンクＰＣＣ上で送られるＰＤＣＣＨを有する、ダウンリンクＰＣＣ上での、ダイナミックにスケジュールされるデータ送信に対して、ＵＥは、ＰＤＣＣＨを送るために使用される最初のＣＣＥに基づいて、１つ以上の利用可能なＰＵＣＣＨリソースを決定してもよい。２つのトランスポートブロックが、ダウンリンクＰＣＣ上で送られるとき、２つの利用可能なＰＵＣＣＨリソースが、次のように、ＰＤＣＣＨの最初のＣＣＥに基づいて決定されてもよい：
【数３】
2013535937.tif 000005
【００４２】
ここで、ｎ(1)PUCCH,PCC,iおよびｎ(1)PUCCH,PCC,i+1は、ダウンリンクＰＣＣ上で送られるＰＤＣＣＨにダイナミックにリンクされる２つの利用可能なＰＵＣＣＨリソースのインデックスである。数式（３）中で示されているように、１つのトランスポートブロックがダウンリンクＰＣＣ上で送られるとき、ＵＥは、ＰＤＣＣＨの最初のＣＣＥに基づいて、１つの利用可能なＰＵＣＣＨリソースを決定してもよい。
【００４３】
１つの観点において、ダウンリンクＰＣＣ上で送られるＰＤＣＣＨに基づいている（例えば、クロスキャリアスケジューリングに対して使用されるＣＩＦを有する）、ダウンリンクＳＣＣ上でのダイナミックにスケジュールされるデータ送信に対して、１つ以上の利用可能なＰＵＣＣＨリソースが、ＰＤＣＣＨを送るために使用される最初のＣＣＥに基づいて決定されてもよい。２つのトランスポートブロックが、ダウンリンクＳＣＣ上で送られるとき、２つの利用可能なＰＵＣＣＨリソースが、次のように、ＰＤＣＣＨの最初のＣＣＥに基づいて決定されてもよい：
【数４】
2013535937.tif 000006
【００４４】
ここで、ｎ(1)PUCCH,SCC,iおよびｎ(1)PUCCH,SCC,i+1は、ダウンリンクＳＣＣ上で送られるＰＤＣＣＨにダイナミックにリンクされる２つの利用可能なＰＵＣＣＨリソースのインデックスである。数式（５）中で示されているように、１つのトランスポートブロックがダウンリンクＳＣＣ上で送られるとき、ＵＥは、ＰＤＣＣＨの最初のＣＣＥに基づいて、１つの利用可能なＰＵＣＣＨリソースを決定してもよい。
【００４５】
数式（３）ないし（６）中の例にしたがって、４つのＰＵＣＣＨリソースが、図４Ｂ中で示されているように、（ｉ）ダウンリンクＰＣＣ上で送られる第１のＰＤＣＣＨによってスケジュールされる、ダウンリンクＰＣＣ上での２つのトランスポートブロックの第１のデータ送信と、（ｉｉ）ダウンリンクＰＣＣ上で送られる第２のＰＤＣＣＨによってスケジュールされる、ダウンリンクＳＣＣ上での２つのトランスポートブロックの第２のデータ送信と、の組み合わせに対して利用可能であってもよい。数式（３）ないし（６）中の添字“ＰＣＣ”および“ＳＣＣ”は、データ送信が送られるＣＣ（ＰＤＣＣＨが送られるＣＣではない）を参照する。
【００４６】
また、数式（３）および（４）によって示されているように、２つの連続するＰＵＣＣＨリソースが、ダウンリンクＰＣＣ上でのデータ送信に対するダウンリンク許可を搬送するＰＤＣＣＨの最初の２つのＣＣＥの、２つの連続する番号ｎCCE,PCCおよびｎCCE,PCC＋１に基づいて決定されてもよい。数式（５）および（６）によって示されているように、２つの連続するＰＵＣＣＨリソースが、ダウンリンクＳＣＣ上でのデータ送信に対するダウンリンク許可を搬送するＰＤＣＣＨの最初の２つのＣＣＥの、２つの連続する番号ｎCCE,SCCおよびｎCCE,SCC＋１に基づいて決定されてもよい。１つの例において、ダウンリンク許可を搬送するＰＤＣＣＨは、少なくとも２つのＣＣＥ中で送られてもよく、これは、最初の２つのＣＣＥにリンクされる２つのＰＵＣＣＨリソースが、別のＵＥに割り当てられないことを保証し得る。別の例において、ダウンリンク許可を搬送するＰＤＣＣＨは、１つのＣＣＥ中で送られてもよく、ＵＥは、別のダウンリンク許可を搬送する別のＰＤＣＣＨに対する最初のＣＣＥとして次のＣＣＥを使用するのを回避し得る。この設計は、同じＰＵＣＣＨリソース上での複数のＵＥ間の衝突を回避し得る。
【００４７】
（例えば、ＣＩＦを使用しない）ダウンリンクＳＣＣ上で送られるＰＤＣＣＨに基づく、ダウンリンクＳＣＣ上でのダイナミックにスケジュールされるデータ送信に対して、１つ以上の利用可能なＰＵＣＣＨリソースが、上位レイヤ（例えば、ＲＲＣ）シグナリングによりＵＥに対して設定されているＰＵＣＣＨリソースに基づいて決定されてもよい。例えば、１つ以上のＰＵＣＣＨリソースが、上位レイヤシグナリングによりＵＥに対してセミスタティックに設定されてもよく、例えば、各トランスポートブロックに対して１つのＰＵＣＣＨリソースが設定されてもよい。別の例において、例えば、各トランスポートブロックに対して１つの組のＰＵＣＣＨリソースのように、１つ以上の組のＰＵＣＣＨリソースが、上位レイヤシグナリングによりＵＥに対してセミスタティックに設定されてもよい。このケースでは、各組における１つのＰＵＣＣＨリソースが、ダウンリンクＳＣＣ上のＰＤＣＣＨ上で送られるダウンリンク許可に含まれている制御情報に基づいて選択されてもよく、各組は、２、３、４または他の何らかの数のＰＵＣＣＨリソースを含んでいてもよい。
【００４８】
ダウンリンクＰＣＣ上でのＳＰＳデータ送信に対して、ＵＥは、上位レイヤシグナリングにより設定されているＰＵＣＣＨリソースに基づいて、１つ以上の利用可能なＰＵＣＣＨリソースを決定してもよい。１つの例において、２つの連続するＰＵＣＣＨリソースが、上位レイヤシグナリングによりＵＥに対してセミスタティックに設定される。これらのリソースは、ｎ(1)PUCCH,iおよびｎ(1)PUCCH,i＋１として表されてもよい。別の例において、１つ以上の組の、連続する、または非連続のＰＵＣＣＨリソースが、上位レイヤシグナリングによりＵＥに対してセミスタティックに設定されてもよい。ＵＥは、ＳＰＳの活性化において、ＳＰＳの非活性化において、および／または、他の何らかの時間において示されてもよい、設定されているＰＵＣＣＨリソースの中から、使用する１つ以上のＰＵＣＣＨリソースを選択してもよい。さらに別の例において、ＵＥは、ダウンリンクＣＣ上のＰＤＣＣＨ上で送られるＳＰＳメッセージに基づいて、１つ以上の利用可能なＰＵＣＣＨリソースを決定してもよい。例えば、メッセージは、ＳＰＳを活性化する、ＳＰＳを非活性化する、ＳＰＳを変更するなどであってもよい。ＰＵＣＣＨリソースは、メッセージを搬送するＰＤＣＣＨの最初のＣＣＥに基づいて決定されてもよい。
【００４９】
表１は、上述したケースを含む、利用可能なＰＵＣＣＨリソースを決定するための情報を示す。ケース１に対して、データは、ダウンリンクＰＣＣ上で送られるダウンリンク許可／ＰＤＣＣＨに基づいて、ダウンリンクＰＣＣ上で送られてもよい。ＡＣＫ／ＮＡＣＫ情報を送るためのＰＵＣＣＨリソースは、例えば、数式（２）中で、または、数式（３）および（４）の両方において示されているように、ダウンリンク許可を搬送するＰＤＣＣＨの最初のＣＣＥに基づいて決定されてもよい。ケース２に対して、データは、例えば、図４Ｂ中で示されているように、ダウンリンクＰＣＣ上で送られる２つのダウンリンク許可／ＰＤＣＣＨに基づいて、ダウンリンクＰＣＣおよびＳＣＣ上で送られてもよい。ＰＵＣＣＨリソースは、例えば、数式（３）ないし（６）中で示されているように、２つのダウンリンク許可を搬送する２つのＰＤＣＣＨの最初のＣＣＥに基づいて決定されてもよい。ケース３に対して、データは、図４Ｃ中で示されているように、ダウンリンクＰＣＣ上で送られる第１のダウンリンク許可／ＰＤＣＣＨおよびダウンリンクＳＣＣ上で送られる第２のダウンリンク許可／ＰＤＣＣＨに基づいて、ダウンリンクＰＣＣおよびＳＣＣ上で送られてもよい。ＰＵＣＣＨリソースは、第１のダウンリンク許可を搬送するＰＤＣＣＨの最初のＣＣＥと、ＵＥに対して設定されているＰＵＣＣＨとに基づいて決定されてもよい。ケース４に対して、データは、セミパーシステントスケジューリングを使用して、何らかのダウンリンク許可なくダウンリンクＰＣＣ上で送られてもよく、ＰＵＣＣＨリソースは、ＵＥに対して設定されているＰＵＣＣＨに基づいて決定されてもよい。
【表１】
2013535937.tif 000007
【００５０】
表１は、（ｉ）データ送信がダイナミックにスケジュールされるか、または、セミスタティックにスケジュールされるか、（ｉｉ）ダウンリンク許可／ＰＤＣＣＨが送られる特定のダウンリンクＣＣ、（ｉｉｉ）データ送信が送られる特定のダウンリンクＣＣ、に基づいて、利用可能なＰＵＣＣＨリソースを決定する設計を示す。ＵＥは、どのダウンリンクＣＣが（例えば、設定されている、または活性化されているに対して）スケジュールされているか、および、各ダウンリンクＣＣがスケジュールされる方法（例えば、ダイナミックに、または、セミパーシステントに）を決定できてもよい。利用可能なＰＵＣＣＨリソースはまた、他の方法で決定されてもよい。一般に、所定のダウンリンクＣＣ上でのデータ送信に対する、利用可能なＰＵＣＣＨリソースは、ダウンリンク許可を搬送するＰＤＣＣＨの最初のＣＣＥにダイナミックにリンクされていてもよく、または、上位レイヤによって設定されるＰＵＣＣＨリソースに基づいて決定されてもよく、あるいは、他の方法で確かめられてもよい。異なるダウンリンクＣＣ上でのデータ送信は、（例えば、表１中のケース２に対して）同じ方法で、または（表１中のケース３に対して）異なる方法で決定されるＰＵＣＣＨリソースに関係付けられていてもよい。
【００５１】
チャネル選択により、任意の数のＰＵＣＣＨリソースを使用して、ＡＣＫ／ＮＡＣＫ情報を送ってもよい。チャネル選択の第１の例において、１つのＰＵＣＣＨリソースを使用して、２ビットのＡＣＫ／ＮＡＣＫ情報を送ってもよく、２つのＰＵＣＣＨリソースを使用して、３ビットのＡＣＫ／ＮＡＣＫ情報を送ってもよく、４つのＰＵＣＣＨリソースを使用して、４ビットのＡＣＫ／ＮＡＣＫ情報を送ってもよい。チャネル選択の第２の例において、２つのＰＵＣＣＨリソースを使用して、２ビットのＡＣＫ／ＮＡＣＫ情報を送ってもよく、３つのＰＵＣＣＨリソースを使用して、３ビットのＡＣＫ／ＮＡＣＫ情報を送ってもよく、４つのＰＵＣＣＨリソースを使用して、４ビットのＡＣＫ／ＮＡＣＫ情報を送ってもよい。より少ない、または、より多いＰＵＣＣＨリソースを使用して、ＡＣＫ／ＮＡＣＫ情報を送ってもよい。明瞭にするために、チャネル選択によりＡＣＫ／ＮＡＣＫ情報を送るいくつかの例示的な設計を以下で記述する。
【００５２】
表２は、１つのダウンリンクＰＣＣ上でのデータ送信と、アップリンクＰＣＣ上でのＡＣＫ／ＮＡＣＫ送信とを有する、ＰＵＣＣＨリソースを決定するための設計を示す。４つのシナリオが示されている。１つのトランスポートブロック（ＴＢ）が、ＬＴＥリリース９における送信モード１、２、５、６または７に基づいて、ダウンリンクＣＣ上で送られてもよい。２つのトランスポートブロックが、ＬＴＥリリース９における送信モード３、４または８に基づいて、ダウンリンクＣＣ上で送られてもよい。追加の送信モードを規定してもよい。表２中で示されているように、ＰＵＣＣＨフォーマット１ａを使用して、１つのＰＵＣＣＨリソースに基づいて、１ビットのＡＣＫ／ＮＡＣＫ情報を送ってもよく、ＰＵＣＣＨフォーマット１ｂを使用して、１つのＰＵＣＣＨリソースに基づいて、２ビットのＡＣＫ／ＮＡＣＫ情報を送ってもよい。ＰＵＣＣＨリソースは、ダウンリンク許可を搬送するＰＤＣＣＨの最初のＣＣＥに、または、上位レイヤシグナリングによってＵＥに対して設定されているＰＵＣＣＨリソースに基づいて決定されてもよい。
【表２】
2013535937.tif 000008
【００５３】
表３は、２つのダウンリンクＰＣＣ上でのデータ送信と、アップリンクＰＣＣ上でのＡＣＫ／ＮＡＣＫ送信とに対する、ＰＵＣＣＨリソースを決定するための設計を示す。示されているように、ＰＵＣＣＨフォーマット１ｂを使用して、１つのＰＵＣＣＨリソースに基づいて、２ビットのＡＣＫ／ＮＡＣＫ情報を送ってもよい。チャネル選択を有するＰＵＣＣＨフォーマット１ｂを使用して、２つのＰＵＣＣＨリソースに基づいて、３ビットのＡＣＫ／ＮＡＣＫ情報を送ってもよい。チャネル選択を有するＰＵＣＣＨフォーマット１ｂを使用して、４つのＰＵＣＣＨリソースに基づいて、４ビットのＡＣＫ／ＮＡＣＫ情報を送ってもよい。利用可能なＰＵＣＣＨリソースは、ダウンリンク許可を搬送するＰＤＣＣＨの最初のＣＣＥに、および／または、上位レイヤシグナリングによってＵＥに対して設定されているＰＵＣＣＨリソースに基づいて決定されてもよい。
【表３】
2013535937.tif 000009
【００５４】
表４は、２つのダウンリンクＰＣＣ上でのデータ送信と、アップリンクＰＣＣ上でのＡＣＫ／ＮＡＣＫ送信とに対する、ＰＵＣＣＨリソースを決定するためのさらなる設計を示す。示されているように、表４は、表３中で識別される４つのシナリオにおいて、利用可能なＰＵＣＣＨリソースの異なる決定を提供する。
【表４】
2013535937.tif 000010
【００５５】
表２ないし４は、異なるデータ送信およびＡＣＫ／ＮＡＣＫ送信シナリオにおける、ＰＵＣＣＨリソースを決定するための例示的な設計を示す。データ送信およびＡＣＫ／ＮＡＣＫ送信のさらなる例は、本開示の範囲内で可能であり、上述の設計原理は、それらをカバーするように拡張されてもよい。例えば、異なる数のＰＵＣＣＨリソースを所定のシナリオに対して使用してもよく、利用可能なＰＵＣＣＨリソースを他の方法で決定してもよく、または、異なるＡＣＫ／ＮＡＣＫ送信を所定のシナリオに対して使用してもよい。
【００５６】
先に与えた例において、４ビットまでのＡＣＫ／ＮＡＣＫ情報を、ＰＵＣＣＨフォーマット１ｂおよびチャネル選択に基づいて送ってもよい。これらの例は、２つまでのダウンリンクＣＣを伴うデータ送信に焦点を合わせる。ＵＥは、２つよりも多いダウンリンクＣＣ（例えば、ＬＴＥ−Ａにおいて、マルチキャリア動作に対して５つまでのダウンリンクＣＣを有する）により設定され、所定のサブフレームにおける２つまでの設定されているダウンリンクＣＣ上でのデータ送信に対してスケジュールされてもよい。ＵＥは、どのダウンリンクＣＣがサブフレーム中でスケジュールされているかを決定してもよく、上述した設計に基づいて、ＡＣＫ／ＮＡＣＫ情報を送ってもよい。代わりに、ＵＥは、所定のサブフレームにおける２つよりも多い設定されているダウンリンクＣＣ上でのデータ送信に対してスケジュールされてもよい。このケースでは、ＵＥは、ＰＵＣＣＨフォーマット３を利用して、４より多いビットのＡＣＫ／ＮＡＣＫ情報を送ってもよい。ＰＵＣＣＨフォーマット３は、離散フーリエ変換拡散ＯＦＤＭ（ＤＦＴ−Ｓ−ＯＦＤＭ）を利用する。ＰＵＣＣＨフォーマット３に対して、ＵＥは、ＤＦＴに基づいて、ＬビットのＡＣＫ／ＮＡＣＫ情報を周波数領域に変換し、結果として生じる周波数領域シンボルを、ＡＣＫ／ＮＡＣＫ送信に対する１つ以上のリソースブロック中のリソースエレメントにマッピングし、マッピングされたシンボルに基づいて、ＳＣ−ＦＤＭＡシンボルを生成させてもよい。
【００５７】
上述の例は、ＡＣＫ／ＮＡＣＫのバンドリング（bundling）を必要とせず、各トランスポートブロックに対する、ＡＣＫ、ＮＡＣＫおよびＤＴＸのフィードバックのシグナリングをサポートしてもよい。送るＡＣＫ／ＮＡＣＫ情報のビット数を低減させるために、上述の設計と組み合わせて、空間バンドリングおよび／またはＣＣバンドリングを使用してもよい。所定のＣＣ上で受信される複数のトランスポートブロックの空間バンドリングに対して、ＡＣＫまたはＮＡＣＫは、ＣＣ上で受信される各トランスポートブロックに対して決定されてもよい。ＡＣＫがすべてのトランスポートブロックに対して取得される場合、束ねられたＡＣＫが送られてもよく、ＮＡＣＫが何らかのトランスポートブロックに対して取得される場合、束ねられたＮＡＣＫが送られてもよい。空間バンドリングでは、２ビットまでのＡＣＫ／ＮＡＣＫ情報が、２つまでのダウンリンクＣＣ上でのデータ送信に対して送られてもよく、各ダウンリンクＣＣに対して、１ビットが、束ねられたＡＣＫまたは束ねられたＮＡＣＫを示す。
【００５８】
複数のＣＣ上で受信される複数のトランスポートブロックのＣＣバンドリングに対して、ＡＣＫまたはＮＡＣＫは、各トランスポートブロックに対して決定されてもよい。ＡＣＫがすべてのトランスポートブロックに対して取得される場合、束ねられたＡＣＫが送られてもよく、ＮＡＣＫが何らかのトランスポートブロックに対して取得される場合、束ねられたＮＡＣＫが送られてもよい。１つのトランスポートブロックが、各ＣＣ上で受信される場合、ＣＣバンドリングを実行して、複数のＣＣ上で受信されるすべてのトランスポートブロックに対して１ビットのＡＣＫ／ＮＡＣＫ情報を取得してもよい。２つのトランスポートブロックが、各ＣＣ上で受信される場合、（ｉ）１ビットのＡＣＫ／ＮＡＣＫ情報を取得するために、すべてのＣＣ上で受信される第１のトランスポートブロックに、および、（ｉｉ）別のビットのＡＣＫ／ＮＡＣＫ情報を取得するために、すべてのＣＣ上で受信される第２のトランスポートブロックに、対してＣＣバンドリングを実行してもよい。ＣＣバンドリングでは、２ビットまでのＡＣＫ／ＮＡＣＫ情報を、複数のＣＣのそれぞれのＣＣ上での、２つまでのトランスポートブロックのデータ送信に対して送ってもよい。
【００５９】
１つの特定の例において、空間バンドリングおよび／またはＣＣバンドリングが実行される場合、１ビットのＡＣＫ／ＮＡＣＫ情報が、ＰＵＣＣＨフォーマット１ａに基づいて送られてもよく、２ビットのＡＣＫ／ＮＡＣＫ情報が、ＰＵＣＣＨフォーマット１ｂに基づいて送られてもよい。１または２ビットのＡＣＫ／ＮＡＣＫ情報が、１つのＰＵＣＣＨリソース上で送られてもよく、１つのＰＵＣＣＨは、ダウンリンクＰＣＣ上でダウンリンク許可を搬送するＰＤＣＣＨの最初のＣＣＥに、または、上位レイヤシグナリングによってＵＥに対して設定されているＰＵＣＣＨリソースに基づいて決定されてもよい。
【００６０】
図５は、マルチキャリアワイヤレス通信システムにおけるＰＵＣＣＨリソースを決定するための例示的なプロセス５００を示す。プロセス５００は、（以下に示すように）ＵＥによって、または、他の何らかのエンティティによって実行されてもよい。ＵＥは、複数のコンポーネントキャリア上でデータ送信を受信するように構成されていてもよい。ブロック５１２において、ＵＥは、ＰＤＣＣＨが受信される第１のＣＣを識別する。ブロック５１４において、ＵＥは、ＰＤＣＣＨに関係付けられているデータ送信が受信される第２のＣＣを識別し、ここで、第１および第２のＣＣは、ＵＥによる使用のために設定されているＣＣの組の中にある。ブロック５１６において、ＵＥによる使用に対して利用可能なＰＵＣＣＨリソースが、ＰＤＣＣＨが受信される第１のＣＣと、データ送信が受信される第２のＣＣとに基づいて決定される。ブロック５１８において、ＵＥは、決定されたＰＵＣＣＨリソースに基づいて、制御情報を送る。
【００６１】
ブロック５１６における動作では、ＵＥは、第２のＣＣの送信モードを決定してもよい。ＵＥは次に、第２のＣＣの送信モードに少なくとも部分的に基づいて、利用可能なＰＵＣＣＨリソースを決定してもよい。例えば、ＵＥは、第２のＣＣの送信モードによってサポートされている、トランスポートブロックの数Ｋを決定してもよい。Ｋは、１より大きいか、または１に等しくてもよい。ＵＥは次に、ＰＤＣＣＨが受信される第１のＣＣと、データ送信が受信される第２のＣＣとに基づいて、Ｋ個のＰＵＣＣＨリソースを決定してもよい。したがって、ＵＥは、送信モードに基づいて、どのくらいの数のＰＵＣＣＨリソースが利用可能であるかを決定してもよい。
【００６２】
１つの観点において、ＰＤＣＣＨは、ＰＣＣ上でのデータ送信に対して、ＰＣＣ上で送られてもよい。１つの例において、ブロック５１２ないし５１４に対して、ＰＤＣＣＨが受信される第１のＣＣは、ＵＥに対してＰＣＣとして識別されてもよく、データ送信が受信される第２のＣＣもまた、ＰＣＣとして識別されてもよい。ＵＥは、ＰＣＣ上で受信されるＰＤＣＣＨに関係付けられている（例えば、ＰＤＣＣＨを送るのに使用される）最初のＣＣＥの番号に基づいて、利用可能なＰＵＣＣＨリソースを決定してもよい。
【００６３】
別の観点において、ＰＤＣＣＨは、ＳＣＣ上でのデータ送信に対して、ＰＣＣ上で送られてもよい。別の例において、ＰＤＣＣＨが受信される第１のＣＣは、ＵＥに対してＰＣＣとして識別されてもよく、データ送信が受信される第２のＣＣは、ＳＣＣとして識別されてもよい。ＵＥは、ＰＣＣ上で受信されるＰＤＣＣＨに関係付けられている最初のＣＣＥの番号に基づいて、利用可能なＰＵＣＣＨリソースを決定してもよい。
【００６４】
別の観点において、ＰＤＣＣＨは、ＳＣＣ上でのデータ送信に対して、ＳＣＣ上で送られてもよい。ＰＤＣＣＨが受信される第１のＣＣは、ＵＥに対してＳＣＣであってもよく、データ送信が受信される第２のＣＣもまた、ＳＣＣであってもよい。ＵＥは、上位レイヤシグナリングによってＵＥに対して設定されているＰＵＣＣＨに基づいて、利用可能なＰＵＣＣＨリソースを決定してもよい。
【００６５】
さらなる観点において、ＰＤＣＣＨは、ＰＣＣ上で受信されてもよい。ＵＥは、第２のＣＣの送信モードが１つのトランスポートブロックをサポートしていることを決定してもよい。ＵＥは、ＰＣＣ上で受信されるＰＤＣＣＨに関係付けられている最初のＣＣＥの番号に基づいて、ＵＥによる使用に対して利用可能な１つのＰＵＣＣＨリソースを決定してもよい。いくつかの例において、ＵＥは、第２のＣＣの送信モードが２つのトランスポートブロックをサポートしていることを決定してもよい。ＵＥは次に、ＰＣＣ上で受信されるＰＤＣＣＨに関係付けられている最初のＣＣＥの番号に基づいて、２つの連続するＰＵＣＣＨリソースを決定してもよい。一般に、明示的なリンキングに対して、ＵＥは、第１のＣＣ上のＰＤＣＣＨに関係付けられている（例えば、ＰＤＣＣＨを送るのに使用される）リソースに基づいて、利用可能なＰＵＣＣＨリソースを決定してもよい。
【００６６】
１つの観点において、２つのＰＤＣＣＨが、ＰＣＣおよびＳＣＣ上での２つのデータ送信に対して、ＰＣＣ上で送られてもよい（例えば、表１中のケース２）。ＵＥは、第１のＣＣ上で第１および第２のＰＤＣＣＨを受信してもよい。第１のＰＤＣＣＨは、第１のＣＣ上での第１のデータ送信に対する第１のダウンリンク許可を含んでいてもよい。第２のＰＤＣＣＨは、第２のＣＣ上での第２のデータ送信に対する第２のダウンリンク許可を含んでいてもよい。ＵＥは、第１のＰＤＣＣＨの最初のＣＣＥの番号に基づいて、第１の組の利用可能なＰＵＣＣＨリソースを決定してもよい。ＵＥは、第２のＰＤＣＣＨの最初のＣＣＥの番号に基づいて、第２の組の利用可能なＰＵＣＣＨリソースを決定してもよい。１つの例において、第１の組は、第１のＰＤＣＣＨの最初のＣＣＥの番号に基づいて決定される２つの連続するＰＵＣＣＨリソースを含んでいてもよく、第２の組は、第２のＰＤＣＣＨの最初のＣＣＥの番号に基づいて決定される２つの連続する追加のＰＵＣＣＨリソースを含んでいてもよい。第１の組および／または第２の組はまた、より少ない、または、より多いＰＵＣＣＨリソースを含んでいてもよい。
【００６７】
いくつかの観点において、１つのＰＤＣＣＨが、ＰＣＣ上でのデータ送信に対して、ＰＣＣ上で送られてもよく、別のＰＤＣＣＨが、ＳＣＣ上でのデータ送信に対して、ＳＣＣ上で送られてもよい（例えば、表１中のケース３）。ＵＥは、第１のＣＣ上で第１のＰＤＣＣＨを受信してもよく、第１のＰＤＣＣＨは、第１のＣＣ上での第１のデータ送信に対する第１のダウンリンク許可を含んでいる。ＵＥは、第２のＣＣ上で第２のＰＤＣＣＨを受信してもよく、第２のＰＤＣＣＨは、第２のＣＣ上での第２のデータ送信に対する第２のダウンリンク許可を含んでいる。ＵＥは、第１のＰＤＣＣＨの最初のＣＣＥの番号に基づいて、第１の組の利用可能なＰＵＣＣＨリソースと、上位レイヤシグナリングによってＵＥに対して設定されるＰＵＣＣＨリソースに基づいて、第２の組の利用可能なＰＵＣＣＨリソースとを決定してもよい。
【００６８】
さらなる観点において、ダイナミックなスケジューリングに対して、ＵＥは、第１のＣＣ上のＰＤＣＣＨ上でダウンリンク許可を受信してもよく、第２のＣＣ上で、関係するデータ送信を受信してもよい。ＵＥは、受信したデータ送信に対してＡＣＫ／ＮＡＣＫ情報を決定してもよく、利用可能なＰＵＣＣＨリソースに基づいて、ＡＣＫ／ＮＡＣＫ情報を送ってもよい。セミスタティックなスケジューリングに対して、ＵＥは、第２のＣＣ上で受信されるデータ送信のＳＰＳに対するメッセージをＰＤＣＣＨ上で受信してもよい。メッセージは、ＳＰＳを活性化し、非活性化し、または、変更してもよい。送られる制御情報は、データ送信に対するＡＣＫ／ＮＡＣＫ情報を含んでいてもよい。
【００６９】
ＵＥは、代わりに、ＵＥに対して設定されていてもよい、チャネル選択を有する予め定められているＰＵＣＣＨフォーマット（例えば、ＰＵＣＣＨフォーマット１ｂ）に基づいて、ＡＣＫ／ＮＡＣＫ情報を送ってもよい。ＵＥは、利用可能なＰＵＣＣＨリソースのうちの１つを選択してもよく、選択したＰＵＣＣＨリソース上で、ＡＣＫ／ＮＡＣＫ情報に対するシグナリングを送ってもよい。１つの特定の例において、４つのＰＵＣＣＨリソースが、ＵＥによる使用に対して利用可能であってもよく、ＡＣＫ／ＮＡＣＫ情報は、４ビットで構成されてもよい。ＵＥは、４つのＰＵＣＣＨリソースのうちの１つを選択してもよく、選択したＰＵＣＣＨリソース上で、４ビットのＡＣＫ／ＮＡＣＫ情報に対するシグナリングを送ってもよい。
【００７０】
図６は、マルチキャリアワイヤレス通信システムにおいて、ユーザ機器から制御情報を受信するための例示的なプロセス６００を示す。プロセス６００は、（以下で説明するように）基地局／ｅＮＢによって、または、他の何らかのエンティティによって実行されてもよい。ブロック６１２において、基地局は、ＰＤＣＣＨがマルチキャリアＵＥに送られる第１のＣＣを識別する。ブロック６１４において、基地局はまた、ＰＤＣＣＨに関係付けられているデータ送信がＵＥに送られる第２のＣＣを識別する。第１および第２のＣＣは、同じＣＣまたは異なるＣＣであってもよく、ＵＥによる使用のために設定されている複数のＣＣの中のものである。ブロック６１６において、基地局は、ＰＤＣＣＨがＵＥに送られる第１のＣＣと、データ送信がＵＥに送られる第２のＣＣとに基づいて、ＵＥによる使用に対して利用可能なＰＵＣＣＨリソースを決定する。ブロック６１８において、基地局は、ＰＵＣＣＨリソースに基づいて、ＵＥから制御情報を受信する。
【００７１】
基地局は、ＵＥに対して第２のＣＣの送信モードを決定してもよい。ブロック６１６において、基地局は、第２のＣＣの送信モードに少なくとも部分的に基づいて、ＵＥによる使用に対して利用可能なＰＵＣＣＨリソースを決定してもよい。例えば、基地局は、Ｋ個のトランスポートブロックが第２のＣＣの送信モードによってサポートされていることを決定してもよく、ここで、Ｋは、１または、より大きくてもよい。基地局は、ＰＤＣＣＨがＵＥに送られる第１のＣＣと、データ送信がＵＥに送られる第２のＣＣとに基づいて、ＵＥによる使用に対して利用可能なＫ個のＰＵＣＣＨリソースを決定してもよい。
【００７２】
１つの観点において、基地局は、ＰＣＣ上でのデータ送信に対しても、ＰＣＣ上でＰＤＣＣＨを送ってもよい。ブロック６１２ないし６１４において、ＰＤＣＣＨが送られる第１のＣＣは、ＵＥに対するＰＣＣとして識別されてもよく、データ送信が送られる第２のＣＣもまた、ＰＣＣとして識別されてもよい。基地局は、ＰＣＣ上で送られるＰＤＣＣＨに関係付けられている最初のＣＣＥの番号に基づいて、ＵＥによる使用に対して利用可能なＰＵＣＣＨリソースを決定してもよい。
【００７３】
別の観点において、基地局は、特定のＵＥに対して設定されている複数のＣＣの中のＳＣＣ上でのデータ送信に対して、ＰＣＣ上でＰＤＣＣＨを送ってもよい。ＰＤＣＣＨが送られる第１のＣＣは、ＵＥに対するＰＣＣであってもよく、データ送信が送られる第２のＣＣは、ＵＥに対するＳＣＣであってもよい。基地局は、ＰＣＣ上で送られるＰＤＣＣＨに関係付けられている最初のＣＣＥの番号に基づいて、ＵＥによる使用に対して利用可能なＰＵＣＣＨリソースを決定してもよい。
【００７４】
さらなる観点において、基地局は、ＳＣＣ上でのデータ送信に対して、ＳＣＣ上でＰＤＣＣＨを送ってもよい。例えば、ＰＤＣＣＨが送られる第１のＣＣは、ＵＥに対するＳＣＣであってもよく、データ送信が送られる第２のＣＣもまた、ＳＣＣであってもよい。基地局は、上位レイヤシグナリングによってＵＥに対して設定されているＰＵＣＣＨリソースに基づいて、ＵＥによる使用に対して利用可能なＰＵＣＣＨリソースを決定してもよい。
【００７５】
１つの観点において、基地局は、ＵＥに対して、ＰＣＣ上でＰＤＣＣＨを送ってもよい。基地局は、第２のＣＣの送信モードが１つのトランスポートブロックをサポートしていることを決定してもよい。ブロック６１６において、基地局は、ＰＣＣ上で受信されるＰＤＣＣＨに関係付けられている最初のＣＣＥの番号に基づいて、ＵＥによる使用に対して利用可能な１つのＰＵＣＣＨリソースを決定してもよい。別の例において、基地局は、第２のＣＣの送信モードが２つのトランスポートブロックをサポートしていることを決定してもよい。そのケースでは、ブロック６１６において、基地局は、ＰＣＣ上で受信されるＰＤＣＣＨに関係付けられている最初のＣＣＥの番号に基づいて、ＵＥによる使用に対して利用可能な２つの連続したＰＵＣＣＨリソースを決定してもよい。
【００７６】
さらに別の観点において、基地局は、２つのデータ送信、ＰＣＣ上で１つ、および、ＳＣＣ上で１つに対して、ＰＣＣ上で２つのＰＤＣＣＨを送ってもよい（例えば、表１中のケース２）。基地局は、第１のＣＣ上で第１および第２のＰＤＣＣＨを送ってもよく、第１のＰＤＣＣＨは、第１のＣＣ上での第１のデータ送信に対する第１のダウンリンク許可を含み、第２のＰＤＣＣＨは、第２のＣＣ上での第２のデータ送信に対する第２のダウンリンク許可を含む。ブロック６１６において、基地局は、第１のＰＤＣＣＨの最初のＣＣＥの番号に基づいて、ＵＥによる使用に対して利用可能な第１の組のＰＵＣＣＨリソースと、第２のＰＤＣＣＨの最初のＣＣＥの番号に基づいて、第２の組のＰＵＣＣＨリソースとを決定してもよい。
【００７７】
別の観点において、基地局は、ＰＣＣ上でのデータ送信に対してＰＣＣ上で１つのＰＤＣＣＨと、ＳＣＣ上でのデータ送信に対して、ＳＣＣ上で別のＰＤＣＣＨとを送ってもよい（例えば、表１中のケース３）。基地局は、第１のＣＣ上で第１のＰＤＣＣＨを送ってもよく、第１のＰＤＣＣＨは、第１のＣＣ上での第１のデータ送信に対する第１のダウンリンク許可を含む。基地局は、第２のＣＣ上で第２のＰＤＣＣＨを送ってもよく、第２のＰＤＣＣＨは、第２のＣＣ上での第２のデータ送信に対する第２のダウンリンク許可を含む。ブロック６１６において、基地局は、第１のＰＤＣＣＨの最初のＣＣＥの番号に基づいて、ＵＥによる使用に対して利用可能な第１の組のＰＵＣＣＨリソースと、上位レイヤシグナリングによりＵＥに対して設定されているＰＵＣＣＨリソースに基づいて、第２の組のＰＵＣＣＨリソースとを決定してもよい。
【００７８】
１つの観点において、ダイナミックなスケジューリングに対して、基地局は、第１のＣＣ上のＰＤＣＣＨ上で、ダウンリンク許可を送ってもよく、第２のＣＣ上でデータ送信を送ってもよい。代わりに、セミスタティックなスケジューリングに対して、基地局は、第２のＣＣ上でのデータ送信のセミパーシステントスケジューリングに対してＰＤＣＣＨ上でメッセージを送ってもよい。両方のケースにおいて、基地局は、ＵＥによる使用に対して利用可能なＰＵＣＣＨリソースに基づいて、データ送信に対するＡＣＫ／ＮＡＣＫ情報を受信してもよい。１つの例において、基地局は、ＵＥによる使用に対して利用可能なＰＵＣＣＨリソースのうちの１つのリソース上で、ＡＣＫ／ＮＡＣＫ情報に対するシグナリングを受信してもよく、シグナリングが受信されるＰＵＣＣＨリソースと、受信したシグナリングとに基づいて、追加のＡＣＫ／ＮＡＣＫ情報を決定してもよい。
【００７９】
図７は、図１に関して記述した、基地局／ｅＮＢのうちの１つ、および、ＵＥのうちの１つであってもよい、例示的な基地局／ｅＮＢ１１０ｘおよびＵＥ１２０ｘのブロック図を示す。例示的な基地局１１０ｘおよび例示的なＵＥ１２０ｘは、プロセッサ、電子デバイス、ハードウェアデバイス、電子コンポーネント、論理回路、メモリ、ソフトウェアコード、ファームウェアコードなど、あるいは、こられのいずれかの組み合わせを含んでいてもよい、複数のモジュールを含むものとして示されている。
【００８０】
基地局１１０ｘは、１つ以上のＣＣ（例えば、ダウンリンクＰＣＣおよび／またはＳＣＣ）に対するダウンリンク許可および／または他のＤＣＩを含んでいてもよいＰＤＣＣＨ送信を生成させるように構成されているモジュール７１０を含む。モジュール７１２は、ＰＤＣＣＨ送信に関係付けられているＰＤＳＣＨ送信を生成させるように構成されている。ＰＤＳＣＨ送信は、１つ以上のＣＣ（例えば、ダウンリンクＰＣＣおよび／またはＳＣＣ）に対するデータおよび／または他の情報を含んでいてもよい。送信機７１４は、ＰＤＣＣＨおよび／またはＰＤＳＣＨ送信を含むダウンリンク信号を生成させるように構成されている。受信機７１６は、アップリンク信号を受信および処理するように構成されている。モジュール７１８は、受信信号を処理し、ＵＥ１２０ｘおよびＰＤＳＣＨ上で送られたデータ送信に応答する他のＵＥによって送られたＡＣＫ／ＮＡＣＫ情報を回復するように構成されている。
【００８１】
モジュール７２０は、ＵＥ１２０ｘのマルチキャリア設定を決定し、例えば、どのＣＣがダウンリンクおよびアップリンクに対して設定されているか、ならびに、どのＣＣがＵＥに対するダウンリンクＰＣＣおよびアップリンクＰＣＣを表すかを識別するように構成されている。モジュール７２２は、ＰＤＣＣＨ送信を送るためのＣＣと、ＰＤＳＣＨ送信を送るためのＣＣとを決定するように構成されている。以前に論じたように、ＰＤＣＣＨおよびＰＤＳＣＨは、同じまたは異なるＣＣ上で送られてもよい。モジュール７２４は、ＰＤＳＣＨ送信が送られる各ＣＣの送信モードを決定するように構成されており、送信モードは、ＰＤＳＣＨデータ送信の受信に応答するのに利用可能なＰＵＣＣＨの数に対応してもよい。
【００８２】
モジュール７２６は、ＰＵＣＣＨ送信が送られるＣＣ、ＰＤＳＣＨ送信が送られるＣＣ、スケジュールされる各ＣＣの送信モード、ＵＥ１２０ｘに対して設定されているＰＵＣＣＨリソースなどに基づいて、ＵＥ１２０ｘによる使用に対して利用可能なＰＵＣＣＨリソースを決定するように構成されている。モジュール７１８は、利用可能なＰＵＣＣＨリソースに基づいて、ＵＥ１２０ｘからＡＣＫ／ＮＡＣＫ情報を受信するように構成されている。基地局１１０ｘ内のさまざまなモジュールは、上述したように動作してもよい。さらに、制御装置／プロセッサ７２８は、基地局１１０ｘ内のさまざまなモジュールの動作を指示してもよく、メモリ７３０は、プロセッサ７２８によって使用されるデータおよびプログラムコードを記憶してもよく、スケジューラ７３２は、データ送信に対してＵＥをスケジュールしてもよい。
【００８３】
示されているように、ＵＥ１２０ｘは、基地局１１０ｘからのダウンリンク信号を受信および処理するように構成されている受信機７５０を含む。モジュール７５２は、受信信号を処理し（例えば、復調およびデコードする）、ＵＥ１２０ｘに送られたＰＤＣＣＨ送信を回復するように構成されている。モジュール７５４は、受信信号を処理して、ＰＤＣＣＨ送信に対応するＰＤＳＣＨ送信を回復するように構成されている。モジュール７５８は、受信したデータ送信に対するＡＣＫ／ＮＡＣＫ情報を決定するように構成されている。モジュール７５８はまた、ＵＥ１２０ｘに利用可能なＰＵＣＣＨリソースに基づいて、ＰＵＣＣＨ上でＡＣＫ／ＮＡＣＫ情報を送るように構成されている。送信機７６０は、ＡＣＫ／ＮＡＣＫ情報を含んでいるアップリンク信号を送信するように構成されている。アップリンク信号は、ＰＵＣＣＨ送信であってもよい。
【００８４】
モジュール７５６は、ＵＥ１２０ｘのマルチキャリア設定を決定するように、例えば、どのＣＣがダウンリンクおよびアップリンクに対してＵＥ１２０ｘのために設定されているか、ならびに、どのＣＣが、それぞれダウンリンクＰＣＣおよびアップリンクＰＣＣを表すかを識別するように構成されている。モジュール７６２は、ＰＤＣＣＨ送信受信するためのＣＣと、ＰＤＳＣＨ送信を受信するためのＣＣとを決定するように構成されている。モジュール７６４は、ＰＤＳＣＨ送信が受信される各ＣＣの送信モードを決定するように構成されている。モジュール７６６は、ＰＵＣＣＨ送信が受信されるＣＣ、ＰＤＳＣＨ送信が受信されるＣＣ、スケジュールされる各ＣＣの送信モード、ＵＥ１２０ｘに対して設定されているＰＵＣＣＨリソースなどに基づいて、ＵＥによる使用に対して利用可能なＰＵＣＣＨリソースを決定するように構成されている。ＵＥ１２０ｘ内のさまざまなモジュールは、上述したように動作してもよい。さらに、制御装置／プロセッサ７６８は、ＵＥ１２０ｘ内のさまざまなモジュールの動作を指示してもよく、メモリ７７０は、プロセッサ７６８によって使用されるデータおよびプログラムコードを記憶してもよい。
【００８５】
図８は、基地局／ｅＮＢ１１０ｙおよびＵＥ１２０ｙの設計のブロックダイヤグラムを示す。基地局／ｅＮＢ１１０ｙおよびＵＥ１２０ｙは、図１中の、基地局／ｅＮＢのうちの１つと、ＵＥのうちの１つとであってもよい。基地局１１０ｙは、Ｔ本のアンテナ８３４ａないし８３４ｔを備えおり、ＵＥ１２０ｙは、Ｒ本のアンテナ８５２ａないし８５２ｒを備えている。ここで、一般に、Ｔ≧１およびＲ≧１である。
【００８６】
基地局１１０ｙにおいて、送信プロセッサ８２０は、１つ以上のＵＥへの１つ以上のダウンリンクＣＣ上での送信に対して、データ源８１２からデータを受け取り、各ＵＥに対する１つ以上の変調およびコーディングスキームに基づいて、そのＵＥに対するデータを処理し（例えば、エンコードおよび変調する）、すべてのＵＥに対するデータシンボルを提供する。送信プロセッサ８２０はまた、（例えば、ダウンリンク許可、設定メッセージなどに対する）制御情報を処理して、制御シンボルを提供してもよい。プロセッサ８２０はまた、基準信号に対して基準シンボルを生成させてもよい。送信（ＴＸ）ＭＩＭＯプロセッサ８３０は、（該当する場合には、）データシンボル、制御シンボル、および／または、基準シンボルをプリコードしてもよく、Ｔ個の出力シンボルストリームを、Ｔ個の変調器（ＭＯＤ）８３２ａないし８３２ｔに提供してもよい。各変調器８３２は、（例えば、ＯＦＤＭなどに対する）それぞれの出力シンボルストリームを処理して、出力サンプルストリームを取得してもよい。各変調器８３２はさらに、その出力サンプルストリームを調整して（例えば、アナログに変換し、増幅し、フィルタリングし、アップコンバートする）、ダウンリンク信号を取得してもよい。変調器８３２ａないし８３２ｔからのＴ個のダウンリンク信号は、それぞれ、Ｔ本のアンテナ８３４ａないし８３４ｔを通して送信してもよい。
【００８７】
ＵＥ１２０ｙにおいて、アンテナ８５２ａないし８５２ｒは、基地局１１０ｙおよび／または他の基地局からダウンリンク信号を受信してもよく、受信した信号を、それぞれ、復調器（ＤＥＭＯＤ）８５４ａないし８５４ｒに提供してもよい。各復調器８５４は、その受信信号を調整して（例えば、フィルタリングし、増幅し、ダウンコンバートし、デジタル化する）、入力サンプルを取得してもよい。各復調器８５４はさらに、（例えば、ＯＦＤＭなどに対する）入力サンプルを処理して、受信シンボルを取得してもよい。ＭＩＭＯ検出器８５６は、すべてのＲ個の復調器８５４ａないし８５４ｒから受信シンボルを取得し、受信シンボルに対してＭＩＭＯ検出を実行し、検出されたシンボルを提供してもよい。受信プロセッサ８５８は、検出されたシンボルを処理し（例えば、復調し、デコードする）、ＵＥ１２０ｙに対するデコードされたデータをデータシンク８６０に提供し、デコードされた制御情報を制御装置／プロセッサ８８０に提供してもよい。
【００８８】
アップリンク上で、ＵＥ１２０ｙにおいて、送信プロセッサ８６４は、データ源８６２からのデータと、制御装置／プロセッサ８８０からの制御情報（例えば、ＡＣＫ／ＮＡＣＫ情報など）を受け取って処理してもよい。プロセッサ８６４はまた、１つ以上の基準信号に対して基準シンボルを生成させてもよい。送信プロセッサ８６４からのシンボルは、該当する場合にはＴＸ ＭＩＭＯプロセッサ８６６によりプリコードされ、（例えば、ＳＣ−ＦＤＭ、ＯＦＤＭなどに対して）変調器８５４ａないし８５４ｒによりさらに処理され、基地局１１０ｙに送信されてもよい。基地局１１０ｙにおいて、ＵＥ１２０ｙおよび他のＵＥからのアップリンク信号は、アンテナ８３４により受信され、復調器８３２により処理され、該当する場合にはＭＩＭＯ検出器８３６により検出され、さらに受信プロセッサ８３８により処理されて、ＵＥ１２０ｙおよび他のＵＥにより送られた、デコードされたデータおよび制御情報が取得されてもよい。プロセッサ８３８は、デコードされたデータをデータシンク８３９に、および、デコードされた制御情報を制御装置／プロセッサ８４０に提供してもよい。
【００８９】
制御装置／プロセッサ８４０および８８０は、それぞれ、基地局１１０ｙおよびＵＥ１２０ｙにおいて動作を指示してもよい。基地局１１０ｙにおける、プロセッサ８４０、ならびに／あるいは、他のプロセッサおよびモジュールは、図６中のプロセス６００、および／または、ここで記述した技術に対する他のプロセスを実行または指示してもよい。ＵＥ１２０ｙにおける、プロセッサ８８０、ならびに／あるいは、他のプロセッサおよびモジュールは、図５中のプロセス５００、および／または、ここで記述した技術に対する他のプロセスを実行または指示してもよい。メモリ８４２および８８２は、それぞれ、基地局１１０ｙおよびＵＥ１２０ｙに対するデータおよびプログラムコードを記憶してもよい。スケジューラ８４４は、ダウンリンクおよび／またはアップリンク上でのデータ送信に対してＵＥをスケジュールしてもよい。
【００９０】
電子ハードウェア、コンピュータソフトウェアまたは両方の組み合わせとして、ここでの開示に関して記述したさまざまな実例となる論理ブロック、モジュール、回路およびアルゴリズムステップを実現してもよいことが理解されるであろう。ハードウェアおよびソフトウェアのこの互換性を明瞭に説明するために、さまざまな実例となるコンポーネント、ブロック、モジュール、回路、およびステップをそれらの機能の点から一般的に上述した。このような機能が、ハードウェアとして、または、ハードウェアおよびソフトウェアのエレメントの組み合わせとして実現されるかどうかは、特定の用途に依存する。
【００９１】
汎用プロセッサ、デジタル信号プロセッサ（ＤＳＰ），特定用途向け集積回路（ＡＳＩＣ），フィールドプログラム可能ゲートアレイ（ＦＰＧＡ）または他のプログラム可能論理デバイス、ディスクリートゲートまたはトランジスタ論理、ディスクリートハードウェアコンポーネント、あるいはここで記述した機能を実行するために設計された、これらの任意の組み合わせにより、ここでの開示に関して記述した、さまざまな実例となる、論理ブロック、モジュールおよび回路を実現または実行してもよい。汎用プロセッサはマイクロプロセッサでもよいが、代わりに、プロセッサは任意の従来のプロセッサ、制御装置、マイクロ制御装置、または状態遷移機械であってもよい。計算デバイスの組み合わせ、例えば、ＤＳＰとマイクロプロセッサとの組み合わせ、複数のマイクロプロセッサ、ＤＳＰコアに関連した１つ以上のマイクロプロセッサ、または他の任意のこのような構成として、プロセッサを実現してもよい。
【００９２】
ここでの開示に関して記述した方法またはアルゴリズムのステップを、ハードウェア中で直接、プロセッサにより実行されるソフトウェアモジュール中で、またはその２つの組み合わせ中で具体化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ，または技術的に知られている他の任意の形態の記憶媒体中に存在してもよい。プロセッサが記憶媒体から情報を読み取ることができ、記憶媒体に情報を書き込むことができるように、例示的な記憶媒体はプロセッサに結合されている。代わりに、記憶媒体はプロセッサと一体化されていてもよい。プロセッサおよび記憶媒体は、ＡＳＩＣ中に存在してもよい。ＡＳＩＣはユーザ端末中に存在してもよい。代わりに、プロセッサおよび記憶媒体は、ユーザ端末中にディスクリートコンポーネントとして存在してもよい。
【００９３】
１つ以上の例示的な設計において、記述した機能は、ハードウェア、ソフトウェア、ファームウェア、またはこれらの任意の組み合わせ中で実現してもよい。ソフトウェアにおいて実現する場合、コンピュータ読み取り可能媒体上に、１つ以上の命令またはコードとして、機能を記憶させてもよく、または機能を送信してもよい。コンピュータ読み取り可能媒体は、コンピュータ記憶媒体と、ある場所から別の場所へのコンピュータプログラムの転送を容易にする何らかの媒体を含む通信媒体との両方を含む。記憶媒体は、汎用または特殊用途のコンピュータによりアクセスできる任意の利用可能な媒体であってもよい。一例として、限定ではないが、そのようなコンピュータ読み取り可能媒体は，ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、命令またはデータ構造の形態で所望のプログラムコード手段を搬送または記憶するために使用でき、そして、汎用用途または特殊用途のコンピュータ、あるいは、汎用用途または特殊用途のプロセッサによりアクセスできる他の任意の媒体を備えることができる。さらに、いくつかの接続は、適切にコンピュータ読み取り可能媒体と呼ばれる。例えば、ソフトウェアが、同軸ケーブル、光ファイバケーブル、ツイストペア線またはデジタル加入者線（ＤＳＬ）を使用して、ウェブサイト、サーバまたは他のリモート情報源から送信される場合、同軸ケーブル、光ファイバケーブル、ツイストペア線またはＤＳＬは、媒体の定義に含まれる。ここで使用されるディスク（Ｄｉｓｋおよびｄｉｓｃ）は、コンパクトディスク（ＣＤ）、レーザーディスク（登録商標）、光ディスク、デジタルバーサタイルディスク（ＤＶＤ）、フロッピー（登録商標）ディスク、およびブルーレイディスクを含み、ディスク（ｄｉｓｋ）は通常、磁気的にデータを再生し、一方、ディスク（ｄｉｓｃ）は、レーザにより光学的にデータを再生する。上述の組み合わせもまた、コンピュータ読み取り可能媒体の範囲内に含まれるべきである。
【００９４】
いかなる当業者であっても本開示を実施しまたは使用できるように、本開示の記述をこれまでに提供している。本開示に対してさまざまな修正が当業者に容易に明らかであり、本開示の精神または範囲から逸脱することなく、ここで規定した一般的な原理を、他のバリエーションに適用してもよい。したがって、本開示は、ここで記述した例および設計に限定されるように意図されていないが、ここで開示した原理および新規な特徴に矛盾しない最も広い範囲に一致すべきである。
【図１】
2013535937.tif 000011
【図２】
2013535937.tif 000012
【図３】
2013535937.tif 000013
【図４Ａ】
2013535937.tif 000014
【図４Ｂ】
2013535937.tif 000015
【図４Ｃ】
2013535937.tif 000016
【図５】
2013535937.tif 000017
【図６】
2013535937.tif 000018
【図７】
2013535937.tif 000019
【図８】
2013535937.tif 000020
【手続補正書】
【提出日】平成25年7月23日(2013.7.23)
【手続補正１】
【補正対象書類名】特許請求の範囲
【補正対象項目名】全文
【補正方法】変更
【補正の内容】
【特許請求の範囲】
【請求項１】
ワイヤレス通信のための方法において、
物理ダウンリンク制御チャネル（ＰＤＣＣＨ）がユーザ機器（ＵＥ）によって受信される第１のコンポーネントキャリアを識別し、前記第１のＣＣは、前記ＵＥに対して設定されている複数のＣＣのうちの１つであることと、
前記ＰＤＣＣＨに関係付けられているデータ送信が前記ＵＥによって受信される第２のＣＣを識別し、前記第２のＣＣは、前記ＵＥに対して設定されている複数のＣＣのうちの１つであることと、
前記ＰＤＣＣＨが受信される第１のＣＣと、前記データ送信が受信される第２のＣＣとに基づいて、物理アップリンク制御チャネル（ＰＵＣＣＨ）リソースを決定することと、
前記ＵＥによって、前記ＰＵＣＣＨリソースに基づいて、前記データ送信に対する肯定応答／否定応答（ＡＣＫ／ＮＡＣＫ）情報を送ることとを含む方法。
【請求項２】
前記第２のＣＣの送信モードを決定することと、
前記第２のＣＣの送信モードにさらに基づいて、前記ＰＵＣＣＨリソースを決定することとをさらに含む請求項１記載の方法。
【請求項３】
前記第２のＣＣの送信モードを決定することと、
Ｋ個のトランスポートブロックが前記第２のＣＣの送信モードによってサポートされていることを決定し、ここで、Ｋは１以上であることと、
前記ＰＤＣＣＨが受信される第１のＣＣと、前記データ送信が受信される第２のＣＣとに基づいて、Ｋ個のＰＵＣＣＨリソースを決定することとをさらに含む請求項１記載の方法。
【請求項４】
前記ＰＤＣＣＨが受信される第１のＣＣを識別することは、前記第１のＣＣを前記ＵＥに対するプライマリＣＣ（ＰＣＣ）として識別することをさらに含み、
前記データ送信が受信される第２のＣＣを識別することは、前記第２のＣＣを前記ＰＣＣとして識別することをさらに含み、
前記ＰＵＣＣＨリソースを決定することは、前記ＰＣＣ上で受信される前記ＰＤＣＣＨに関係付けられている最初の制御チャネルエレメント（ＣＣＥ）の番号に基づいて、前記ＰＵＣＣＨリソースを決定することを含む請求項１記載の方法。
【請求項５】
前記ＰＤＣＣＨが受信される第１のＣＣを識別することは、前記第１のＣＣを前記ＵＥに対するプライマリＣＣ（ＰＣＣ）として識別することをさらに含み、
前記データ送信が受信される第２のＣＣを識別することは、前記第２のＣＣを前記ＵＥに対するセカンダリＣＣ（ＳＣＣ）として識別することをさらに含み、
前記ＰＵＣＣＨリソースを決定することは、前記ＰＣＣ上で受信される前記ＰＤＣＣＨに関係付けられている最初の制御チャネルエレメント（ＣＣＥ）の番号に基づいて、前記ＰＵＣＣＨリソースを決定することを含む請求項１記載の方法。
【請求項６】
前記ＰＤＣＣＨが受信される第１のＣＣを識別することは、前記第１のＣＣを前記ＵＥに対するセカンダリＣＣ（ＳＣＣ）として識別することをさらに含み、
前記データ送信が受信される第２のＣＣを識別することは、前記第２のＣＣを前記ＳＣＣとして識別することをさらに含み、
前記ＰＵＣＣＨリソースを決定することは、上位レイヤシグナリングによって前記ＵＥに対して設定されているＰＵＣＣＨリソースに基づいて、前記ＰＵＣＣＨリソースを決定することを含む請求項１記載の方法。
【請求項７】
前記ＰＤＣＣＨが受信される第１のＣＣを識別することは、前記第１のＣＣを前記ＵＥに対するプライマリＣＣ（ＰＣＣ）として識別することをさらに含み、
前記ＰＵＣＣＨリソースを決定することは、
前記第２のＣＣの送信モードが１つのトランスポートブロックをサポートしていることを決定することと、
前記ＰＣＣ上で受信される前記ＰＤＣＣＨに関係付けられている最初の制御チャネルエレメント（ＣＣＥ）の番号に基づいて、１つのＰＵＣＣＨリソースを決定することとをさらに含む請求項１記載の方法。
【請求項８】
前記ＰＤＣＣＨが受信される第１のＣＣを識別することは、前記第１のＣＣを前記ＵＥに対するプライマリＣＣ（ＰＣＣ）として識別することをさらに含み、
前記ＰＵＣＣＨリソースを決定することは、
前記第２のＣＣの送信モードが２つのトランスポートブロックをサポートしていることを決定することと、
前記ＰＣＣ上で受信される前記ＰＤＣＣＨに関係付けられている最初の制御チャネルエレメント（ＣＣＥ）の番号に基づいて、２つの連続したＰＵＣＣＨリソースを決定することとをさらに含む請求項１記載の方法。
【請求項９】
前記ＰＵＣＣＨリソースを決定することは、前記第１のＣＣ上で前記ＰＤＣＣＨを送るために使用されるリソースに基づいて、前記ＰＵＣＣＨリソースを決定することを含む請求項１記載の方法。
【請求項１０】
前記第１のＣＣ上で第１および第２のＰＤＣＣＨを受信し、前記第１のＰＤＣＣＨは、前記第１のＣＣ上での第１のデータ送信に対する第１のダウンリンク許可を含み、前記第２のＰＤＣＣＨは、前記第２のＣＣ上での第２のデータ送信に対する第２のダウンリンク許可を含むことと、
前記第１のＰＤＣＣＨの最初の制御チャネルエレメント（ＣＣＥ）の番号に基づいて、第１の組のＰＵＣＣＨリソースを決定することと、
前記第２のＰＤＣＣＨの最初のＣＣＥの番号に基づいて、第２の組のＰＵＣＣＨリソースを決定することとをさらに含む請求項１記載の方法。
【請求項１１】
前記第１の組は、前記第１のＰＤＣＣＨの最初のＣＣＥの番号に基づいて決定された、２つの連続したＰＵＣＣＨリソースを含み、前記第２の組のＰＵＣＣＨリソースは、前記第２のＰＤＣＣＨの最初のＣＣＥの番号に基づいて決定された、２つの連続したＰＵＣＣＨリソースを含む請求項１０記載の方法。
【請求項１２】
前記第１のＣＣ上で第１のＰＤＣＣＨを受信し、前記第１のＰＤＣＣＨは、前記第１のＣＣ上での第１のデータ送信に対する第１のダウンリンク許可を含むことと、
前記第２のＣＣ上で第２のＰＤＣＣＨを受信し、前記第２のＰＤＣＣＨは、前記第２のＣＣ上での第２のデータ送信に対する第２のダウンリンク許可を含むことと、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定することと、
上位レイヤシグナリングによって前記ＵＥに対して設定されているＰＵＣＣＨリソースに基づいて、前記ＵＥによる使用に対して利用可能な第２の組のＰＵＣＣＨリソースを決定することとをさらに含む請求項１記載の方法。
【請求項１３】
前記第２のＣＣ上で受信される前記データ送信に対するダウンリンク許可を前記ＰＤＣＣＨ上で受信することをさらに含む請求項１記載の方法。
【請求項１４】
前記第２のＣＣ上で受信される前記データ送信のセミパーシステントスケジューリング（ＳＰＳ）に対するメッセージを前記ＰＤＣＣＨ上で受信することをさらに含む請求項１記載の方法。
【請求項１５】
前記第２のＣＣ上で前記データ送信を受信することと、
前記受信したデータ送信に対する肯定応答／否定応答（ＡＣＫ／ＮＡＣＫ）情報を決定することとをさらに含む請求項１記載の方法。
【請求項１６】
前記ＡＣＫ／ＮＡＣＫ情報を送ることは、チャネル選択を有する予め定められているＰＵＣＣＨフォーマットに基づいて、前記ＡＣＫ／ＮＡＣＫ情報を送ることを含む請求項１５記載の方法。
【請求項１７】
前記ＡＣＫ／ＮＡＣＫ情報を送ることは、
前記決定したＰＵＣＣＨリソースから、前記ＰＵＣＣＨリソースのうちの１つを選択することと、
前記選択したＰＵＣＣＨリソース上で、前記ＡＣＫ／ＮＡＣＫ情報に対するシグナリングを送ることとを含む請求項１５記載の方法。
【請求項１８】
前記ＰＵＣＣＨリソースを決定することは、４つのＰＵＣＣＨリソースを決定することを含み、前記ＡＣＫ／ＮＡＣＫ情報は、４ビットで構成されており、
前記ＡＣＫ／ＮＡＣＫ情報を送ることは、
前記４つのＰＵＣＣＨのうちの１つを選択することと、
前記選択したＰＵＣＣＨリソース上で、前記４ビットのＡＣＫ／ＮＡＣＫ情報に対するシグナリングを送ることとを含む請求項１５記載の方法。
【請求項１９】
ワイヤレス通信のための装置において、
物理ダウンリンク制御チャネル（ＰＤＣＣＨ）がユーザ機器（ＵＥ）によって受信される第１のコンポーネントキャリアを識別し、前記第１のＣＣは、前記ＵＥに対して設定されている複数のＣＣのうちの１つである手段と、
前記ＰＤＣＣＨに関係付けられているデータ送信が前記ＵＥによって受信される第２のＣＣを識別し、前記第２のＣＣは、前記ＵＥに対して設定されている複数のＣＣのうちの１つである手段と、
前記ＰＤＣＣＨが受信される第１のＣＣと、前記データ送信が受信される第２のＣＣとに基づいて、物理アップリンク制御チャネル（ＰＵＣＣＨ）リソースを決定する手段と、
前記ＰＵＣＣＨリソースに基づいて、前記データ送信に対する肯定応答／否定応答（ＡＣＫ／ＮＡＣＫ）情報を送る手段とを具備する装置。
【請求項２０】
前記第２のＣＣの送信モードを決定する手段と、
前記第２のＣＣの送信モードにさらに基づいて、前記ＰＵＣＣＨリソースを決定する手段とをさらに具備する請求項１９記載の装置。
【請求項２１】
前記ＰＤＣＣＨが受信される第１のＣＣを識別する手段は、前記第１のＣＣを前記ＵＥに対するプライマリＣＣ（ＰＣＣ）として識別する手段を備え、
前記データ送信が受信される第２のＣＣを識別する手段は、前記第２のＣＣを前記ＰＣＣまたは前記ＵＥに対するセカンダリＣＣ（ＳＣＣ）として識別する手段を備え、
前記ＰＵＣＣＨリソースを決定する手段は、前記ＰＣＣ上で受信される前記ＰＤＣＣＨに関係付けられている最初の制御チャネルエレメント（ＣＣＥ）の番号に基づいて、前記ＰＵＣＣＨリソースを決定する手段を備える請求項１９記載の装置。
【請求項２２】
前記ＰＤＣＣＨが受信される第１のＣＣを識別する手段は、前記第１のＣＣを前記ＵＥに対するセカンダリＣＣ（ＳＣＣ）として識別する手段を備え、
前記データ送信が受信される第２のＣＣを識別する手段は、前記第２のＣＣを前記ＳＣＣとして識別する手段を備え、
前記ＰＵＣＣＨリソースを決定する手段は、上位レイヤシグナリングによって前記ＵＥに対して設定されているＰＵＣＣＨリソースに基づいて、前記ＰＵＣＣＨリソースを決定する手段を備える請求項１９記載の装置。
【請求項２３】
前記第１のＣＣ上で第１および第２のＰＤＣＣＨを受信し、前記第１のＰＤＣＣＨは、前記第１のＣＣ上での第１のデータ送信に対する第１のダウンリンク許可を含み、前記第２のＰＤＣＣＨは、前記第２のＣＣ上での第２のデータ送信に対する第２のダウンリンク許可を含む手段と、
前記第１のＰＤＣＣＨの最初の制御チャネルエレメント（ＣＣＥ）の番号に基づいて、第１の組のＰＵＣＣＨリソースを決定する手段と、
前記第２のＰＤＣＣＨの最初のＣＣＥの番号に基づいて、第２の組のＰＵＣＣＨリソースを決定する手段とをさらに具備する請求項１９記載の装置。
【請求項２４】
前記第１のＣＣ上で第１のＰＤＣＣＨを受信し、前記第１のＰＤＣＣＨは、前記第１のＣＣ上での第１のデータ送信に対する第１のダウンリンク許可を含む手段と、
前記第２のＣＣ上で第２のＰＤＣＣＨを受信し、前記第２のＰＤＣＣＨは、前記第２のＣＣ上での第２のデータ送信に対する第２のダウンリンク許可を含む手段と、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定する手段と、
上位レイヤシグナリングによって前記ＵＥに対して設定されているＰＵＣＣＨリソースに基づいて、前記ＵＥによる使用に対して利用可能な第２の組のＰＵＣＣＨリソースを決定する手段とをさらに具備する請求項１９記載の装置。
【請求項２５】
ワイヤレス通信のための装置において、
物理ダウンリンク制御チャネル（ＰＤＣＣＨ）がユーザ機器（ＵＥ）によって受信される第１のコンポーネントキャリアを識別し、前記第１のＣＣは、前記ＵＥに対して設定されている複数のＣＣのうちの１つであり、
前記ＰＤＣＣＨに関係付けられているデータ送信が前記ＵＥによって受信される第２のＣＣを識別し、前記第２のＣＣは、前記ＵＥに対して設定されている複数のＣＣのうちの１つであり、
前記ＰＤＣＣＨが受信される第１のＣＣと、前記データ送信が受信される第２のＣＣとに基づいて、物理アップリンク制御チャネル（ＰＵＣＣＨ）リソースを決定し、
前記ＵＥによって、前記ＰＵＣＣＨリソースに基づいて、前記データ送信に対する肯定応答／否定応答（ＡＣＫ／ＮＡＣＫ）情報を送る、
ように構成されている少なくとも１つのプロセッサと、
前記少なくとも１つのプロセッサに結合されているメモリとを具備する装置。
【請求項２６】
前記少なくとも１つのプロセッサは、
前記第２のＣＣの送信モードを決定し、
前記第２のＣＣの送信モードにさらに基づいて、前記ＰＵＣＣＨリソースを決定するように構成されている請求項２５記載の装置。
【請求項２７】
前記少なくとも１つのプロセッサは、
前記ＰＤＣＣＨが受信される第１のＣＣを、前記ＵＥに対するプライマリＣＣ（ＰＣＣ）として識別し、
前記データ送信が受信される第２のＣＣを、前記ＰＣＣまたは前記ＵＥに対するセカンダリＣＣ（ＳＣＣ）として識別し、
前記ＰＣＣ上で受信される前記ＰＤＣＣＨに関係付けられている最初の制御チャネルエレメント（ＣＣＥ）の番号に基づいて、利用可能な前記ＰＵＣＣＨリソースを決定するように構成されている請求項２５記載の装置。
【請求項２８】
前記少なくとも１つのプロセッサは、
前記ＰＤＣＣＨが受信される第１のＣＣを、前記ＵＥに対するセカンダリＣＣ（ＳＣＣ）として識別し、
前記データ送信が受信される第２のＣＣを、前記ＳＣＣとして識別し、
上位レイヤシグナリングによって前記ＵＥに対して設定されているＰＵＣＣＨリソースに基づいて、前記ＰＵＣＣＨリソースを決定するように構成されている請求項２５記載の装置。
【請求項２９】
前記少なくとも１つのプロセッサは、
前記第１のＣＣ上で第１および第２のＰＤＣＣＨを受信し、前記第１のＰＤＣＣＨは、前記第１のＣＣ上での第１のデータ送信に対する第１のダウンリンク許可を含み、前記第２のＰＤＣＣＨは、前記第２のＣＣ上での第２のデータ送信に対する第２のダウンリンク許可を含み、
前記第１のＰＤＣＣＨの最初の制御チャネルエレメント（ＣＣＥ）の番号に基づいて、第１の組のＰＵＣＣＨリソースを決定し、
前記第２のＰＤＣＣＨの最初のＣＣＥの番号に基づいて、第２の組のＰＵＣＣＨリソースを決定するように構成されている請求項２５記載の装置。
【請求項３０】
前記少なくとも１つのプロセッサは、
前記第１のＣＣ上で第１のＰＤＣＣＨを受信し、前記第１のＰＤＣＣＨは、前記第１のＣＣ上での第１のデータ送信に対する第１のダウンリンク許可を含み、前記第２のＣＣ上で第２のＰＤＣＣＨを受信し、前記第２のＰＤＣＣＨは、前記第２のＣＣ上での第２のデータ送信に対する第２のダウンリンク許可を含み、
前記第１のＰＤＣＣＨの最初の制御チャネルエレメント（ＣＣＥ）の番号に基づいて、第１の組のＰＵＣＣＨリソースを決定し、
上位レイヤシグナリングによって前記ＵＥに対して設定されているＰＵＣＣＨリソースに基づいて、第２の組のＰＵＣＣＨリソースを決定するように構成されている請求項２５記載の装置。
【請求項３１】
コンピュータ読取り可能記憶媒体において、
少なくとも１つのプロセッサに、物理ダウンリンク制御チャネル（ＰＤＣＣＨ）がユーザ機器（ＵＥ）によって受信される第１のコンポーネントキャリアを識別させるためのコードであって、前記第１のＣＣは、前記ＵＥに対して設定されている複数のＣＣのうちの１つであるコードと、
前記少なくとも１つのプロセッサに、前記ＰＤＣＣＨに関係付けられているデータ送信が前記ＵＥによって受信される第２のＣＣを識別させるためのコードであって、前記第２のＣＣは、前記ＵＥに対して設定されている複数のＣＣのうちの１つであるコードと、
前記少なくとも１つのプロセッサに、前記ＰＤＣＣＨが受信される第１のＣＣと、前記データ送信が受信される第２のＣＣとに基づいて、物理アップリンク制御チャネル（ＰＵＣＣＨ）リソースを決定させるためのコードと、
前記少なくとも１つのプロセッサに、前記ＵＥによって、前記ＰＵＣＣＨリソースに基づいて、前記データ送信に対する肯定応答／否定応答（ＡＣＫ／ＮＡＣＫ）情報を送らせるためのコードとを含むコンピュータ読取り可能記憶媒体。
【請求項３２】
ワイヤレス通信のための方法において、
物理ダウンリンク制御チャネル（ＰＤＣＣＨ）がユーザ機器（ＵＥ）に送られる第１のコンポーネントキャリア（ＣＣ）を識別し、前記第１のＣＣは、前記ＵＥに対して設定されている複数のＣＣのうちの１つであることと、
前記ＰＤＣＣＨに関係付けられているデータ送信が前記ＵＥに送られる第２のＣＣを識別し、前記第２のＣＣは、前記ＵＥに対して設定されている複数のＣＣのうちの１つであることと、
前記ＰＤＣＣＨが前記ＵＥに送られる第１のＣＣと、前記データ送信が前記ＵＥに送られる第２のＣＣとに基づいて、前記ＵＥによる使用に対して利用可能な物理アップリンク制御チャネル（ＰＵＣＣＨ）リソースを決定することと、
前記ＵＥから、前記ＰＵＣＣＨリソースに基づいて、前記データ送信に対する肯定応答／否定応答（ＡＣＫ／ＮＡＣＫ）情報を受信することとを含む方法。
【請求項３３】
前記第２のＣＣの送信モードを決定することと、
前記第２のＣＣの送信モードにさらに基づいて、前記ＵＥによる使用に対して利用可能な前記ＰＵＣＣＨリソースを決定することとをさらに含む請求項３２記載の方法。
【請求項３４】
前記第２のＣＣの送信モードを決定することと、
Ｋ個のトランスポートブロックが前記第２のＣＣの送信モードによってサポートされていることを決定し、ここで、Ｋは１以上であることと、
前記ＰＤＣＣＨが前記ＵＥに送られる第１のＣＣと、前記データ送信が前記ＵＥに送られる第２のＣＣとに基づいて、前記ＵＥによる使用に対して利用可能なＫ個のＰＵＣＣＨリソースを決定することとをさらに含む請求項３２記載の方法。
【請求項３５】
前記ＰＤＣＣＨが送られる第１のＣＣを識別することは、前記第１のＣＣを前記ＵＥに対するプライマリＣＣ（ＰＣＣ）として識別することをさらに含み、
前記データ送信が送られる第２のＣＣを識別することは、前記第２のＣＣを前記ＰＣＣとして識別することをさらに含み、
前記ＰＵＣＣＨリソースを決定することは、前記ＰＣＣ上で送られる前記ＰＤＣＣＨに関係付けられている最初の制御チャネルエレメント（ＣＣＥ）の番号に基づいて、前記ＵＥによる使用に対して利用可能な前記ＰＵＣＣＨリソースを決定することを含む請求項３２記載の方法。
【請求項３６】
前記ＰＤＣＣＨが送られる第１のＣＣを識別することは、前記第１のＣＣを前記ＵＥに対するプライマリＣＣ（ＰＣＣ）として識別することをさらに含み、
前記データ送信が送られる第２のＣＣを識別することは、前記第２のＣＣを前記ＵＥに対するセカンダリＣＣ（ＳＣＣ）として識別することをさらに含み、
前記ＰＵＣＣＨリソースを決定することは、前記ＰＣＣ上で送られる前記ＰＤＣＣＨに関係付けられている最初の制御チャネルエレメント（ＣＣＥ）の番号に基づいて、前記ＵＥによる使用に対して利用可能な前記ＰＵＣＣＨリソースを決定することを含む請求項３２記載の方法。
【請求項３７】
前記ＰＤＣＣＨが送られる第１のＣＣを識別することは、前記第１のＣＣを前記ＵＥに対するセカンダリＣＣ（ＳＣＣ）として識別することをさらに含み、
前記データ送信が送られる第２のＣＣを識別することは、前記第２のＣＣを前記ＳＣＣとして識別することをさらに含み、
前記ＰＵＣＣＨリソースを決定することは、上位レイヤシグナリングによって前記ＵＥに対して設定されているＰＵＣＣＨリソースに基づいて、前記ＵＥによる使用に対して利用可能な前記ＰＵＣＣＨリソースを決定することを含む請求項３２記載の方法。
【請求項３８】
前記ＰＤＣＣＨが送られる第１のＣＣは、前記ＵＥに対するプライマリＣＣ（ＰＣＣ）であり、
前記ＰＵＣＣＨリソースを決定することは、
前記第２のＣＣの送信モードが１つのトランスポートブロックをサポートしていることを決定することと、
前記ＰＣＣ上で送られる前記ＰＤＣＣＨに関係付けられている最初の制御チャネルエレメント（ＣＣＥ）の番号に基づいて、前記ＵＥによる使用に対して利用可能な１つのＰＵＣＣＨリソースを決定することとを含む請求項３２記載の方法。
【請求項３９】
前記ＰＤＣＣＨが送られる第１のＣＣは、前記ＵＥに対するプライマリＣＣ（ＰＣＣ）であり、
前記ＰＵＣＣＨリソースを決定することは、
前記第２のＣＣの送信モードが２つのトランスポートブロックをサポートしていることを決定することと、
前記ＰＣＣ上で送られる前記ＰＤＣＣＨに関係付けられている最初の制御チャネルエレメント（ＣＣＥ）の番号に基づいて、前記ＵＥによる使用に対して利用可能な２つの連続したＰＵＣＣＨリソースを決定することとを含む請求項３２記載の方法。
【請求項４０】
前記第１のＣＣ上で第１および第２のＰＤＣＣＨを送り、前記第１のＰＤＣＣＨは、前記第１のＣＣ上での第１のデータ送信に対する第１のダウンリンク許可を含み、前記第２のＰＤＣＣＨは、前記第２のＣＣ上での第２のデータ送信に対する第２のダウンリンク許可を含むことと、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定することと、
前記第２のＰＤＣＣＨの最初のＣＣＥの番号に基づいて、前記ＵＥによる使用に対して利用可能な第２の組のＰＵＣＣＨリソースを決定することとをさらに含む請求項３２記載の方法。
【請求項４１】
前記第１のＣＣ上で第１のＰＤＣＣＨを送り、前記第１のＰＤＣＣＨは、前記第１のＣＣ上での第１のデータ送信に対する第１のダウンリンク許可を含むことと、
前記第２のＣＣ上で第２のＰＤＣＣＨを送り、前記第２のＰＤＣＣＨは、前記第２のＣＣ上での第２のデータ送信に対する第２のダウンリンク許可を含むことと、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定することと、
上位レイヤシグナリングによって前記ＵＥに対して設定されているＰＵＣＣＨリソースに基づいて、前記ＵＥによる使用に対して利用可能な第２の組のＰＵＣＣＨリソースを決定することとをさらに含む請求項３２記載の方法。
【請求項４２】
前記第２のＣＣ上で送られる前記データ送信に対するダウンリンク許可を前記ＰＤＣＣＨ上で送ることをさらに含む請求項３２記載の方法。
【請求項４３】
前記第２のＣＣ上で送られる前記データ送信のセミパーシステントスケジューリング（ＳＰＳ）に対するメッセージを前記ＰＤＣＣＨ上で送ることをさらに含む請求項３２記載の方法。
【請求項４４】
前記ＡＣＫ／ＮＡＣＫ情報を受信することは、
前記ＵＥによる使用に対して利用可能な前記ＰＵＣＣＨリソースのうちの１つのリソース上で、前記ＡＣＫ／ＮＡＣＫ情報に対するシグナリングを受信することと、
前記シグナリングが受信される前記ＰＵＣＣＨリソースと、前記受信したシグナリングとに基づいて、前記ＡＣＫ／ＮＡＣＫ情報を決定することとを含む請求項３２記載の方法。
【請求項４５】
ワイヤレス通信のための装置において、
物理ダウンリンク制御チャネル（ＰＤＣＣＨ）がユーザ機器（ＵＥ）に送られる第１のコンポーネントキャリア（ＣＣ）を識別し、前記第１のＣＣは、前記ＵＥに対して設定されている複数のＣＣのうちの１つである手段と、
前記ＰＤＣＣＨに関係付けられているデータ送信が前記ＵＥに送られる第２のＣＣを識別し、前記第２のＣＣは、前記ＵＥに対して設定されている複数のＣＣのうちの１つである手段と、
前記ＰＤＣＣＨが前記ＵＥに送られる第１のＣＣと、前記データ送信が前記ＵＥに送られる第２のＣＣとに基づいて、前記ＵＥによる使用に対して利用可能な物理アップリンク制御チャネル（ＰＵＣＣＨ）リソースを決定する手段と、
前記ＵＥから、前記ＰＵＣＣＨリソースに基づいて、前記データ送信に対する肯定応答／否定応答（ＡＣＫ／ＮＡＣＫ）情報を受信する手段とを具備する装置。
【請求項４６】
前記第２のＣＣの送信モードを決定する手段と、
前記第２のＣＣの送信モードにさらに基づいて、前記ＵＥによる使用に対して利用可能な前記ＰＵＣＣＨリソースを決定する手段とをさらに具備する請求項４５記載の装置。
【請求項４７】
前記ＰＤＣＣＨが送られる第１のＣＣを識別する手段は、前記第１のＣＣを前記ＵＥに対するプライマリＣＣ（ＰＣＣ）として識別する手段を備え、
前記データ送信が送られる第２のＣＣを識別する手段は、前記第２のＣＣを前記ＰＣＣまたは前記ＵＥに対するセカンダリＣＣ（ＳＣＣ）として識別する手段を備え、
前記ＰＵＣＣＨリソースを決定する手段は、前記ＰＣＣ上で送られる前記ＰＤＣＣＨに関係付けられている最初の制御チャネルエレメント（ＣＣＥ）の番号に基づいて、前記ＵＥによる使用に対して利用可能な前記ＰＵＣＣＨリソースを決定する手段を備える請求項４５記載の装置。
【請求項４８】
前記ＰＤＣＣＨが送られる第１のＣＣを識別する手段は、前記第１のＣＣを前記ＵＥに対するセカンダリＣＣ（ＳＣＣ）として識別する手段を備え、
前記データ送信が送られる第２のＣＣを識別する手段は、前記第２のＣＣを前記ＳＣＣとして識別する手段を備え、
前記ＰＵＣＣＨリソースを決定する手段は、上位レイヤシグナリングによって前記ＵＥに対して設定されているＰＵＣＣＨリソースに基づいて、前記ＵＥによる使用に対して利用可能な前記ＰＵＣＣＨリソースを決定する手段を備える請求項４５記載の装置。
【請求項４９】
前記第１のＣＣ上で第１および第２のＰＤＣＣＨを送り、前記第１のＰＤＣＣＨは、前記第１のＣＣ上での第１のデータ送信に対する第１のダウンリンク許可を含み、前記第２のＰＤＣＣＨは、前記第２のＣＣ上での第２のデータ送信に対する第２のダウンリンク許可を含む手段と、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定する手段と、
前記第２のＰＤＣＣＨの最初のＣＣＥの番号に基づいて、前記ＵＥによる使用に対して利用可能な第２の組のＰＵＣＣＨリソースを決定する手段とをさらに具備する請求項４５記載の装置。
【請求項５０】
前記第１のＣＣ上で第１のＰＤＣＣＨを送り、前記第１のＰＤＣＣＨは、前記第１のＣＣ上での第１のデータ送信に対する第１のダウンリンク許可を含む手段と、
前記第２のＣＣ上で第２のＰＤＣＣＨを送り、前記第２のＰＤＣＣＨは、前記第２のＣＣ上での第２のデータ送信に対する第２のダウンリンク許可を含む手段と、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定する手段と、
上位レイヤシグナリングによって前記ＵＥに対して設定されているＰＵＣＣＨリソースに基づいて、前記ＵＥによる使用に対して利用可能な第２の組のＰＵＣＣＨリソースを決定する手段とをさらに具備する請求項４５記載の装置。
【請求項５１】
ワイヤレス通信のための装置において、
物理ダウンリンク制御チャネル（ＰＤＣＣＨ）がユーザ機器（ＵＥ）に送られる第１のコンポーネントキャリア（ＣＣ）を識別し、前記第１のＣＣは、前記ＵＥに対して設定されている複数のＣＣのうちの１つであり、
前記ＰＤＣＣＨに関係付けられているデータ送信が前記ＵＥに送られる第２のＣＣを識別し、前記第２のＣＣは、前記ＵＥに対して設定されている複数のＣＣのうちの１つであり、
前記ＰＤＣＣＨが前記ＵＥに送られる第１のＣＣと、前記データ送信が前記ＵＥに送られる第２のＣＣとに基づいて、前記ＵＥによる使用に対して利用可能な物理アップリンク制御チャネル（ＰＵＣＣＨ）リソースを決定し、
前記ＰＵＣＣＨリソースに基づいて、前記データ送信に対する肯定応答／否定応答（ＡＣＫ／ＮＡＣＫ）情報を受信する、
ように構成されている少なくとも１つのプロセッサと、
前記少なくとも１つのプロセッサに結合されているメモリとを具備する装置。
【請求項５２】
前記少なくとも１つのプロセッサは、
前記第２のＣＣの送信モードを決定し、
前記第２のＣＣの送信モードにさらに基づいて、前記ＵＥによる使用に対して利用可能な前記ＰＵＣＣＨリソースを決定するように構成されている請求項５１記載の装置。
【請求項５３】
前記少なくとも１つのプロセッサは、
前記ＰＤＣＣＨが送られる第１のＣＣを、前記ＵＥに対するプライマリＣＣ（ＰＣＣ）として識別し、
前記データ送信が送られる第２のＣＣを、前記ＰＣＣまたは前記ＵＥに対するセカンダリＣＣ（ＳＣＣ）として識別し、
前記ＰＣＣ上で送られる前記ＰＤＣＣＨに関係付けられている最初の制御チャネルエレメント（ＣＣＥ）の番号に基づいて、前記ＵＥによる使用に対して利用可能な前記ＰＵＣＣＨリソースを決定するように構成されている請求項５１記載の装置。
【請求項５４】
前記少なくとも１つのプロセッサは、
前記ＰＤＣＣＨが送られる第１のＣＣを、前記ＵＥに対するセカンダリＣＣ（ＳＣＣ）として識別し、
前記データ送信が送られる第２のＣＣを、前記ＳＣＣとして識別し、
上位レイヤシグナリングによって前記ＵＥに対して設定されているＰＵＣＣＨリソースに基づいて、前記ＵＥによる使用に対して利用可能な前記ＰＵＣＣＨリソースを決定するように構成されている請求項５１記載の装置。
【請求項５５】
前記少なくとも１つのプロセッサは、
前記第１のＣＣ上で第１および第２のＰＤＣＣＨを送り、前記第１のＰＤＣＣＨは、前記第１のＣＣ上での第１のデータ送信に対する第１のダウンリンク許可を含み、前記第２のＰＤＣＣＨは、前記第２のＣＣ上での第２のデータ送信に対する第２のダウンリンク許可を含み、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定し、
前記第２のＰＤＣＣＨの最初のＣＣＥの番号に基づいて、前記ＵＥによる使用に対して利用可能な第２の組のＰＵＣＣＨリソースを決定するように構成されている請求項５１記載の装置。
【請求項５６】
前記少なくとも１つのプロセッサは、
前記第１のＣＣ上で第１のＰＤＣＣＨを送り、前記第１のＰＤＣＣＨは、前記第１のＣＣ上での第１のデータ送信に対する第１のダウンリンク許可を含み、
前記第２のＣＣ上で第２のＰＤＣＣＨを送り、前記第２のＰＤＣＣＨは、前記第２のＣＣ上での第２のデータ送信に対する第２のダウンリンク許可を含み、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定し、
上位レイヤシグナリングによって前記ＵＥに対して設定されているＰＵＣＣＨリソースに基づいて、前記ＵＥによる使用に対して利用可能な第２の組のＰＵＣＣＨリソースを決定するように構成されている請求項５１記載の装置。
【請求項５７】
コンピュータ読取り可能記憶媒体において、
少なくとも１つのプロセッサに、物理ダウンリンク制御チャネル（ＰＤＣＣＨ）がユーザ機器（ＵＥ）に送られる第１のコンポーネントキャリア（ＣＣ）を識別させるためのコードであって、前記第１のＣＣは、前記ＵＥに対して設定されている複数のＣＣのうちの１つであるコードと、
前記少なくとも１つのプロセッサに、前記ＰＤＣＣＨに関係付けられているデータ送信が前記ＵＥに送られる第２のＣＣを識別させるためのコードであって、前記第２のＣＣは、前記ＵＥに対して設定されている複数のＣＣのうちの１つであるコードと、
前記少なくとも１つのプロセッサに、前記ＰＤＣＣＨが前記ＵＥに送られる第１のＣＣと、前記データ送信が前記ＵＥに送られる第２のＣＣとに基づいて、前記ＵＥによる使用に対して利用可能な物理アップリンク制御チャネル（ＰＵＣＣＨ）リソースを決定させるためのコードと、
前記少なくとも１つのプロセッサに、前記ＰＵＣＣＨリソースに基づいて、前記データ送信に対する肯定応答／否定応答（ＡＣＫ／ＮＡＣＫ）情報を受信させるためのコードとを含むコンピュータ読取り可能記憶媒体。
【手続補正２】
【補正対象書類名】明細書
【補正対象項目名】００９４
【補正方法】変更
【補正の内容】
【００９４】
いかなる当業者であっても本開示を実施しまたは使用できるように、本開示の記述をこれまでに提供している。本開示に対してさまざまな修正が当業者に容易に明らかであり、本開示の精神または範囲から逸脱することなく、ここで規定した一般的な原理を、他のバリエーションに適用してもよい。したがって、本開示は、ここで記述した例および設計に限定されるように意図されていないが、ここで開示した原理および新規な特徴に矛盾しない最も広い範囲に一致すべきである。
以下に、本願出願の当初の特許請求の範囲に記載された発明を付記する。
［１］ワイヤレス通信のための方法において、
物理ダウンリンク制御チャネル（ＰＤＣＣＨ）がユーザ機器（ＵＥ）によって受信される第１のコンポーネントキャリアを識別し、前記第１のＣＣは、前記ＵＥに対して設定されている複数のＣＣのうちの１つであることと、
前記ＰＤＣＣＨに関係付けられているデータ送信が前記ＵＥによって受信される第２のＣＣを識別し、前記第２のＣＣは、前記ＵＥに対して設定されている複数のＣＣのうちの１つであることと、
前記ＰＤＣＣＨが受信される第１のＣＣと、前記データ送信が受信される第２のＣＣとに基づいて、物理アップリンク制御チャネル（ＰＵＣＣＨ）リソースを決定することと、
前記ＵＥによって、前記ＰＵＣＣＨリソースに基づいて、前記データ送信に対する肯定応答／否定応答（ＡＣＫ／ＮＡＣＫ）情報を送ることとを含む方法。
［２］前記第２のＣＣの送信モードを決定することと、
前記第２のＣＣの送信モードにさらに基づいて、前記ＰＵＣＣＨリソースを決定することとをさらに含む上記［１］記載の方法。
［３］前記第２のＣＣの送信モードを決定することと、
Ｋ個のトランスポートブロックが前記第２のＣＣの送信モードによってサポートされていることを決定し、ここで、Ｋは１以上であることと、
前記ＰＤＣＣＨが受信される第１のＣＣと、前記データ送信が受信される第２のＣＣとに基づいて、Ｋ個のＰＵＣＣＨリソースを決定することとをさらに含む上記［１］記載の方法。
［４］前記ＰＤＣＣＨが受信される第１のＣＣを識別することは、前記第１のＣＣを前記ＵＥに対するプライマリＣＣ（ＰＣＣ）として識別することをさらに含み、
前記データ送信が受信される第２のＣＣを識別することは、前記第２のＣＣを前記ＰＣＣとして識別することをさらに含み、
前記ＰＵＣＣＨリソースを決定することは、前記ＰＣＣ上で受信される前記ＰＤＣＣＨに関係付けられている最初の制御チャネルエレメント（ＣＣＥ）の番号に基づいて、前記ＰＵＣＣＨリソースを決定することを含む上記［１］記載の方法。
［５］前記ＰＤＣＣＨが受信される第１のＣＣを識別することは、前記第１のＣＣを前記ＵＥに対するプライマリＣＣ（ＰＣＣ）として識別することをさらに含み、
前記データ送信が受信される第２のＣＣを識別することは、前記第２のＣＣを前記ＵＥに対するセカンダリＣＣ（ＳＣＣ）として識別することをさらに含み、
前記ＰＵＣＣＨリソースを決定することは、前記ＰＣＣ上で受信される前記ＰＤＣＣＨに関係付けられている最初の制御チャネルエレメント（ＣＣＥ）の番号に基づいて、前記ＰＵＣＣＨリソースを決定することを含む上記［１］記載の方法。
［６］前記ＰＤＣＣＨが受信される第１のＣＣを識別することは、前記第１のＣＣを前記ＵＥに対するセカンダリＣＣ（ＳＣＣ）として識別することをさらに含み、
前記データ送信が受信される第２のＣＣを識別することは、前記第２のＣＣを前記ＳＣＣとして識別することをさらに含み、
前記ＰＵＣＣＨリソースを決定することは、上位レイヤシグナリングによって前記ＵＥに対して設定されているＰＵＣＣＨリソースに基づいて、前記ＰＵＣＣＨリソースを決定することを含む上記［１］記載の方法。
［７］前記ＰＤＣＣＨが受信される第１のＣＣを識別することは、前記第１のＣＣを前記ＵＥに対するプライマリＣＣ（ＰＣＣ）として識別することをさらに含み、
前記ＰＵＣＣＨリソースを決定することは、
前記第２のＣＣの送信モードが１つのトランスポートブロックをサポートしていることを決定することと、
前記ＰＣＣ上で受信される前記ＰＤＣＣＨに関係付けられている最初の制御チャネルエレメント（ＣＣＥ）の番号に基づいて、１つのＰＵＣＣＨリソースを決定することとをさらに含む上記［１］記載の方法。
［８］前記ＰＤＣＣＨが受信される第１のＣＣを識別することは、前記第１のＣＣを前記ＵＥに対するプライマリＣＣ（ＰＣＣ）として識別することをさらに含み、
前記ＰＵＣＣＨリソースを決定することは、
前記第２のＣＣの送信モードが２つのトランスポートブロックをサポートしていることを決定することと、
前記ＰＣＣ上で受信される前記ＰＤＣＣＨに関係付けられている最初の制御チャネルエレメント（ＣＣＥ）の番号に基づいて、２つの連続したＰＵＣＣＨリソースを決定することとをさらに含む上記［１］記載の方法。
［９］前記ＰＵＣＣＨリソースを決定することは、前記第１のＣＣ上で前記ＰＤＣＣＨを送るために使用されるリソースに基づいて、前記ＰＵＣＣＨリソースを決定することを含む上記［１］記載の方法。
［１０］前記第１のＣＣ上で第１および第２のＰＤＣＣＨを受信し、前記第１のＰＤＣＣＨは、前記第１のＣＣ上での第１のデータ送信に対する第１のダウンリンク許可を含み、前記第２のＰＤＣＣＨは、前記第２のＣＣ上での第２のデータ送信に対する第２のダウンリンク許可を含むことと、
前記第１のＰＤＣＣＨの最初の制御チャネルエレメント（ＣＣＥ）の番号に基づいて、第１の組のＰＵＣＣＨリソースを決定することと、
前記第２のＰＤＣＣＨの最初のＣＣＥの番号に基づいて、第２の組のＰＵＣＣＨリソースを決定することとをさらに含む上記［１］記載の方法。
［１１］前記第１の組は、前記第１のＰＤＣＣＨの最初のＣＣＥの番号に基づいて決定された、２つの連続したＰＵＣＣＨリソースを含み、前記第２の組のＰＵＣＣＨリソースは、前記第２のＰＤＣＣＨの最初のＣＣＥの番号に基づいて決定された、２つの連続したＰＵＣＣＨリソースを含む上記［１０］記載の方法。
［１２］前記第１のＣＣ上で第１のＰＤＣＣＨを受信し、前記第１のＰＤＣＣＨは、前記第１のＣＣ上での第１のデータ送信に対する第１のダウンリンク許可を含むことと、
前記第２のＣＣ上で第２のＰＤＣＣＨを受信し、前記第２のＰＤＣＣＨは、前記第２のＣＣ上での第２のデータ送信に対する第２のダウンリンク許可を含むことと、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定することと、
上位レイヤシグナリングによって前記ＵＥに対して設定されているＰＵＣＣＨリソースに基づいて、前記ＵＥによる使用に対して利用可能な第２の組のＰＵＣＣＨリソースを決定することとをさらに含む上記［１］記載の方法。
［１３］前記第２のＣＣ上で受信される前記データ送信に対するダウンリンク許可を前記ＰＤＣＣＨ上で受信することをさらに含む上記［１］記載の方法。
［１４］前記第２のＣＣ上で受信される前記データ送信のセミパーシステントスケジューリング（ＳＰＳ）に対するメッセージを前記ＰＤＣＣＨ上で受信することをさらに含む上記［１］記載の方法。
［１５］前記第２のＣＣ上で前記データ送信を受信することと、
前記受信したデータ送信に対する肯定応答／否定応答（ＡＣＫ／ＮＡＣＫ）情報を決定することとをさらに含む上記［１］記載の方法。
［１６］前記ＡＣＫ／ＮＡＣＫ情報を送ることは、チャネル選択を有する予め定められているＰＵＣＣＨフォーマットに基づいて、前記ＡＣＫ／ＮＡＣＫ情報を送ることを含む上記［１５］記載の方法。
［１７］前記ＡＣＫ／ＮＡＣＫ情報を送ることは、
前記決定したＰＵＣＣＨリソースから、前記ＰＵＣＣＨリソースのうちの１つを選択することと、
前記選択したＰＵＣＣＨリソース上で、前記ＡＣＫ／ＮＡＣＫ情報に対するシグナリングを送ることとを含む上記［１５］記載の方法。
［１８］前記ＰＵＣＣＨリソースを決定することは、４つのＰＵＣＣＨリソースを決定することを含み、前記ＡＣＫ／ＮＡＣＫ情報は、４ビットで構成されており、
前記ＡＣＫ／ＮＡＣＫ情報を送ることは、
前記４つのＰＵＣＣＨのうちの１つを選択することと、
前記選択したＰＵＣＣＨリソース上で、前記４ビットのＡＣＫ／ＮＡＣＫ情報に対するシグナリングを送ることとを含む上記［１５］記載の方法。
［１９］ワイヤレス通信のための装置において、
物理ダウンリンク制御チャネル（ＰＤＣＣＨ）がユーザ機器（ＵＥ）によって受信される第１のコンポーネントキャリアを識別し、前記第１のＣＣは、前記ＵＥに対して設定されている複数のＣＣのうちの１つである手段と、
前記ＰＤＣＣＨに関係付けられているデータ送信が前記ＵＥによって受信される第２のＣＣを識別し、前記第２のＣＣは、前記ＵＥに対して設定されている複数のＣＣのうちの１つである手段と、
前記ＰＤＣＣＨが受信される第１のＣＣと、前記データ送信が受信される第２のＣＣとに基づいて、物理アップリンク制御チャネル（ＰＵＣＣＨ）リソースを決定する手段と、
前記ＰＵＣＣＨリソースに基づいて、前記データ送信に対する肯定応答／否定応答（ＡＣＫ／ＮＡＣＫ）情報を送る手段とを具備する装置。
［２０］前記第２のＣＣの送信モードを決定する手段と、
前記第２のＣＣの送信モードにさらに基づいて、前記ＰＵＣＣＨリソースを決定する手段とをさらに具備する上記［１９］記載の装置。
［２１］前記ＰＤＣＣＨが受信される第１のＣＣを識別する手段は、前記第１のＣＣを前記ＵＥに対するプライマリＣＣ（ＰＣＣ）として識別する手段を備え、
前記データ送信が受信される第２のＣＣを識別する手段は、前記第２のＣＣを前記ＰＣＣまたは前記ＵＥに対するセカンダリＣＣ（ＳＣＣ）として識別する手段を備え、
前記ＰＵＣＣＨリソースを決定する手段は、前記ＰＣＣ上で受信される前記ＰＤＣＣＨに関係付けられている最初の制御チャネルエレメント（ＣＣＥ）の番号に基づいて、前記ＰＵＣＣＨリソースを決定する手段を備える上記［１９］記載の装置。
［２２］前記ＰＤＣＣＨが受信される第１のＣＣを識別する手段は、前記第１のＣＣを前記ＵＥに対するセカンダリＣＣ（ＳＣＣ）として識別する手段を備え、
前記データ送信が受信される第２のＣＣを識別する手段は、前記第２のＣＣを前記ＳＣＣとして識別する手段を備え、
前記ＰＵＣＣＨリソースを決定する手段は、上位レイヤシグナリングによって前記ＵＥに対して設定されているＰＵＣＣＨリソースに基づいて、前記ＰＵＣＣＨリソースを決定する手段を備える上記［１９］記載の装置。
［２３］前記第１のＣＣ上で第１および第２のＰＤＣＣＨを受信し、前記第１のＰＤＣＣＨは、前記第１のＣＣ上での第１のデータ送信に対する第１のダウンリンク許可を含み、前記第２のＰＤＣＣＨは、前記第２のＣＣ上での第２のデータ送信に対する第２のダウンリンク許可を含む手段と、
前記第１のＰＤＣＣＨの最初の制御チャネルエレメント（ＣＣＥ）の番号に基づいて、第１の組のＰＵＣＣＨリソースを決定する手段と、
前記第２のＰＤＣＣＨの最初のＣＣＥの番号に基づいて、第２の組のＰＵＣＣＨリソースを決定する手段とをさらに具備する上記［１９］記載の装置。
［２４］前記第１のＣＣ上で第１のＰＤＣＣＨを受信し、前記第１のＰＤＣＣＨは、前記第１のＣＣ上での第１のデータ送信に対する第１のダウンリンク許可を含む手段と、
前記第２のＣＣ上で第２のＰＤＣＣＨを受信し、前記第２のＰＤＣＣＨは、前記第２のＣＣ上での第２のデータ送信に対する第２のダウンリンク許可を含む手段と、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定する手段と、
上位レイヤシグナリングによって前記ＵＥに対して設定されているＰＵＣＣＨリソースに基づいて、前記ＵＥによる使用に対して利用可能な第２の組のＰＵＣＣＨリソースを決定する手段とをさらに具備する上記［１９］記載の装置。
［２５］ワイヤレス通信のための装置において、
物理ダウンリンク制御チャネル（ＰＤＣＣＨ）がユーザ機器（ＵＥ）によって受信される第１のコンポーネントキャリアを識別し、前記第１のＣＣは、前記ＵＥに対して設定されている複数のＣＣのうちの１つであり、
前記ＰＤＣＣＨに関係付けられているデータ送信が前記ＵＥによって受信される第２のＣＣを識別し、前記第２のＣＣは、前記ＵＥに対して設定されている複数のＣＣのうちの１つであり、
前記ＰＤＣＣＨが受信される第１のＣＣと、前記データ送信が受信される第２のＣＣとに基づいて、物理アップリンク制御チャネル（ＰＵＣＣＨ）リソースを決定し、
前記ＵＥによって、前記ＰＵＣＣＨリソースに基づいて、前記データ送信に対する肯定応答／否定応答（ＡＣＫ／ＮＡＣＫ）情報を送る、
ように構成されている少なくとも１つのプロセッサと、
前記少なくとも１つのプロセッサに結合されているメモリとを具備する装置。
［２６］前記少なくとも１つのプロセッサは、
前記第２のＣＣの送信モードを決定し、
前記第２のＣＣの送信モードにさらに基づいて、前記ＰＵＣＣＨリソースを決定するように構成されている上記［２５］記載の装置。
［２７］前記少なくとも１つのプロセッサは、
前記ＰＤＣＣＨが受信される第１のＣＣを、前記ＵＥに対するプライマリＣＣ（ＰＣＣ）として識別し、
前記データ送信が受信される第２のＣＣを、前記ＰＣＣまたは前記ＵＥに対するセカンダリＣＣ（ＳＣＣ）として識別し、
前記ＰＣＣ上で受信される前記ＰＤＣＣＨに関係付けられている最初の制御チャネルエレメント（ＣＣＥ）の番号に基づいて、利用可能な前記ＰＵＣＣＨリソースを決定するように構成されている上記［２５］記載の装置。
［２８］前記少なくとも１つのプロセッサは、
前記ＰＤＣＣＨが受信される第１のＣＣを、前記ＵＥに対するセカンダリＣＣ（ＳＣＣ）として識別し、
前記データ送信が受信される第２のＣＣを、前記ＳＣＣとして識別し、
上位レイヤシグナリングによって前記ＵＥに対して設定されているＰＵＣＣＨリソースに基づいて、前記ＰＵＣＣＨリソースを決定するように構成されている上記［２５］記載の装置。
［２９］前記少なくとも１つのプロセッサは、
前記第１のＣＣ上で第１および第２のＰＤＣＣＨを受信し、前記第１のＰＤＣＣＨは、前記第１のＣＣ上での第１のデータ送信に対する第１のダウンリンク許可を含み、前記第２のＰＤＣＣＨは、前記第２のＣＣ上での第２のデータ送信に対する第２のダウンリンク許可を含み、
前記第１のＰＤＣＣＨの最初の制御チャネルエレメント（ＣＣＥ）の番号に基づいて、第１の組のＰＵＣＣＨリソースを決定し、
前記第２のＰＤＣＣＨの最初のＣＣＥの番号に基づいて、第２の組のＰＵＣＣＨリソースを決定するように構成されている上記［２５］記載の装置。
［３０］前記少なくとも１つのプロセッサは、
前記第１のＣＣ上で第１のＰＤＣＣＨを受信し、前記第１のＰＤＣＣＨは、前記第１のＣＣ上での第１のデータ送信に対する第１のダウンリンク許可を含み、前記第２のＣＣ上で第２のＰＤＣＣＨを受信し、前記第２のＰＤＣＣＨは、前記第２のＣＣ上での第２のデータ送信に対する第２のダウンリンク許可を含み、
前記第１のＰＤＣＣＨの最初の制御チャネルエレメント（ＣＣＥ）の番号に基づいて、第１の組のＰＵＣＣＨリソースを決定し、
上位レイヤシグナリングによって前記ＵＥに対して設定されているＰＵＣＣＨリソースに基づいて、第２の組のＰＵＣＣＨリソースを決定するように構成されている上記［２５］記載の装置。
［３１］コンピュータプログラムプロダクトにおいて、
少なくとも１つのプロセッサに、物理ダウンリンク制御チャネル（ＰＤＣＣＨ）がユーザ機器（ＵＥ）によって受信される第１のコンポーネントキャリアを識別させるためのコードであって、前記第１のＣＣは、前記ＵＥに対して設定されている複数のＣＣのうちの１つであるコードと、
前記少なくとも１つのプロセッサに、前記ＰＤＣＣＨに関係付けられているデータ送信が前記ＵＥによって受信される第２のＣＣを識別させるためのコードであって、前記第２のＣＣは、前記ＵＥに対して設定されている複数のＣＣのうちの１つであるコードと、
前記少なくとも１つのプロセッサに、前記ＰＤＣＣＨが受信される第１のＣＣと、前記データ送信が受信される第２のＣＣとに基づいて、物理アップリンク制御チャネル（ＰＵＣＣＨ）リソースを決定させるためのコードと、
前記少なくとも１つのプロセッサに、前記ＵＥによって、前記ＰＵＣＣＨリソースに基づいて、前記データ送信に対する肯定応答／否定応答（ＡＣＫ／ＮＡＣＫ）情報を送らせるためのコードとを含む非一時的なコンピュータ読取り可能媒体を具備するコンピュータプログラムプロダクト。
［３２］ワイヤレス通信のための方法において、
物理ダウンリンク制御チャネル（ＰＤＣＣＨ）がユーザ機器（ＵＥ）に送られる第１のコンポーネントキャリア（ＣＣ）を識別し、前記第１のＣＣは、前記ＵＥに対して設定されている複数のＣＣのうちの１つであることと、
前記ＰＤＣＣＨに関係付けられているデータ送信が前記ＵＥに送られる第２のＣＣを識別し、前記第２のＣＣは、前記ＵＥに対して設定されている複数のＣＣのうちの１つであることと、
前記ＰＤＣＣＨが前記ＵＥに送られる第１のＣＣと、前記データ送信が前記ＵＥに送られる第２のＣＣとに基づいて、前記ＵＥによる使用に対して利用可能な物理アップリンク制御チャネル（ＰＵＣＣＨ）リソースを決定することと、
前記ＵＥから、前記ＰＵＣＣＨリソースに基づいて、前記データ送信に対する肯定応答／否定応答（ＡＣＫ／ＮＡＣＫ）情報を受信することとを含む方法。
［３３］前記第２のＣＣの送信モードを決定することと、
前記第２のＣＣの送信モードにさらに基づいて、前記ＵＥによる使用に対して利用可能な前記ＰＵＣＣＨリソースを決定することとをさらに含む上記［３２］記載の方法。
［３４］前記第２のＣＣの送信モードを決定することと、
Ｋ個のトランスポートブロックが前記第２のＣＣの送信モードによってサポートされていることを決定し、ここで、Ｋは１以上であることと、
前記ＰＤＣＣＨが前記ＵＥに送られる第１のＣＣと、前記データ送信が前記ＵＥに送られる第２のＣＣとに基づいて、前記ＵＥによる使用に対して利用可能なＫ個のＰＵＣＣＨリソースを決定することとをさらに含む上記［３２］記載の方法。
［３５］前記ＰＤＣＣＨが送られる第１のＣＣを識別することは、前記第１のＣＣを前記ＵＥに対するプライマリＣＣ（ＰＣＣ）として識別することをさらに含み、
前記データ送信が送られる第２のＣＣを識別することは、前記第２のＣＣを前記ＰＣＣとして識別することをさらに含み、
前記ＰＵＣＣＨリソースを決定することは、前記ＰＣＣ上で送られる前記ＰＤＣＣＨに関係付けられている最初の制御チャネルエレメント（ＣＣＥ）の番号に基づいて、前記ＵＥによる使用に対して利用可能な前記ＰＵＣＣＨリソースを決定することを含む上記［３２］記載の方法。
［３６］前記ＰＤＣＣＨが送られる第１のＣＣを識別することは、前記第１のＣＣを前記ＵＥに対するプライマリＣＣ（ＰＣＣ）として識別することをさらに含み、
前記データ送信が送られる第２のＣＣを識別することは、前記第２のＣＣを前記ＵＥに対するセカンダリＣＣ（ＳＣＣ）として識別することをさらに含み、
前記ＰＵＣＣＨリソースを決定することは、前記ＰＣＣ上で送られる前記ＰＤＣＣＨに関係付けられている最初の制御チャネルエレメント（ＣＣＥ）の番号に基づいて、前記ＵＥによる使用に対して利用可能な前記ＰＵＣＣＨリソースを決定することを含む上記［３２］記載の方法。
［３７］前記ＰＤＣＣＨが送られる第１のＣＣを識別することは、前記第１のＣＣを前記ＵＥに対するセカンダリＣＣ（ＳＣＣ）として識別することをさらに含み、
前記データ送信が送られる第２のＣＣを識別することは、前記第２のＣＣを前記ＳＣＣとして識別することをさらに含み、
前記ＰＵＣＣＨリソースを決定することは、上位レイヤシグナリングによって前記ＵＥに対して設定されているＰＵＣＣＨリソースに基づいて、前記ＵＥによる使用に対して利用可能な前記ＰＵＣＣＨリソースを決定することを含む上記［３２］記載の方法。
［３８］前記ＰＤＣＣＨが送られる第１のＣＣは、前記ＵＥに対するプライマリＣＣ（ＰＣＣ）であり、
前記ＰＵＣＣＨリソースを決定することは、
前記第２のＣＣの送信モードが１つのトランスポートブロックをサポートしていることを決定することと、
前記ＰＣＣ上で送られる前記ＰＤＣＣＨに関係付けられている最初の制御チャネルエレメント（ＣＣＥ）の番号に基づいて、前記ＵＥによる使用に対して利用可能な１つのＰＵＣＣＨリソースを決定することとを含む上記［３２］記載の方法。
［３９］前記ＰＤＣＣＨが送られる第１のＣＣは、前記ＵＥに対するプライマリＣＣ（ＰＣＣ）であり、
前記ＰＵＣＣＨリソースを決定することは、
前記第２のＣＣの送信モードが２つのトランスポートブロックをサポートしていることを決定することと、
前記ＰＣＣ上で送られる前記ＰＤＣＣＨに関係付けられている最初の制御チャネルエレメント（ＣＣＥ）の番号に基づいて、前記ＵＥによる使用に対して利用可能な２つの連続したＰＵＣＣＨリソースを決定することとを含む上記［３２］記載の方法。
［４０］前記第１のＣＣ上で第１および第２のＰＤＣＣＨを送り、前記第１のＰＤＣＣＨは、前記第１のＣＣ上での第１のデータ送信に対する第１のダウンリンク許可を含み、前記第２のＰＤＣＣＨは、前記第２のＣＣ上での第２のデータ送信に対する第２のダウンリンク許可を含むことと、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定することと、
前記第２のＰＤＣＣＨの最初のＣＣＥの番号に基づいて、前記ＵＥによる使用に対して利用可能な第２の組のＰＵＣＣＨリソースを決定することとをさらに含む上記［３２］記載の方法。
［４１］前記第１のＣＣ上で第１のＰＤＣＣＨを送り、前記第１のＰＤＣＣＨは、前記第１のＣＣ上での第１のデータ送信に対する第１のダウンリンク許可を含むことと、
前記第２のＣＣ上で第２のＰＤＣＣＨを送り、前記第２のＰＤＣＣＨは、前記第２のＣＣ上での第２のデータ送信に対する第２のダウンリンク許可を含むことと、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定することと、
上位レイヤシグナリングによって前記ＵＥに対して設定されているＰＵＣＣＨリソースに基づいて、前記ＵＥによる使用に対して利用可能な第２の組のＰＵＣＣＨリソースを決定することとをさらに含む上記［３２］記載の方法。
［４２］前記第２のＣＣ上で送られる前記データ送信に対するダウンリンク許可を前記ＰＤＣＣＨ上で送ることをさらに含む上記［３２］記載の方法。
［４３］前記第２のＣＣ上で送られる前記データ送信のセミパーシステントスケジューリング（ＳＰＳ）に対するメッセージを前記ＰＤＣＣＨ上で送ることをさらに含む上記［３２］記載の方法。
［４４］前記ＡＣＫ／ＮＡＣＫ情報を受信することは、
前記ＵＥによる使用に対して利用可能な前記ＰＵＣＣＨリソースのうちの１つのリソース上で、前記ＡＣＫ／ＮＡＣＫ情報に対するシグナリングを受信することと、
前記シグナリングが受信される前記ＰＵＣＣＨリソースと、前記受信したシグナリングとに基づいて、前記ＡＣＫ／ＮＡＣＫ情報を決定することとを含む上記［３２］記載の方法。
［４５］ワイヤレス通信のための装置において、
物理ダウンリンク制御チャネル（ＰＤＣＣＨ）がユーザ機器（ＵＥ）に送られる第１のコンポーネントキャリア（ＣＣ）を識別し、前記第１のＣＣは、前記ＵＥに対して設定されている複数のＣＣのうちの１つである手段と、
前記ＰＤＣＣＨに関係付けられているデータ送信が前記ＵＥに送られる第２のＣＣを識別し、前記第２のＣＣは、前記ＵＥに対して設定されている複数のＣＣのうちの１つである手段と、
前記ＰＤＣＣＨが前記ＵＥに送られる第１のＣＣと、前記データ送信が前記ＵＥに送られる第２のＣＣとに基づいて、前記ＵＥによる使用に対して利用可能な物理アップリンク制御チャネル（ＰＵＣＣＨ）リソースを決定する手段と、
前記ＵＥから、前記ＰＵＣＣＨリソースに基づいて、前記データ送信に対する肯定応答／否定応答（ＡＣＫ／ＮＡＣＫ）情報を受信する手段とを具備する装置。
［４６］前記第２のＣＣの送信モードを決定する手段と、
前記第２のＣＣの送信モードにさらに基づいて、前記ＵＥによる使用に対して利用可能な前記ＰＵＣＣＨリソースを決定する手段とをさらに具備する上記［４５］記載の装置。
［４７］前記ＰＤＣＣＨが送られる第１のＣＣを識別する手段は、前記第１のＣＣを前記ＵＥに対するプライマリＣＣ（ＰＣＣ）として識別する手段を備え、
前記データ送信が送られる第２のＣＣを識別する手段は、前記第２のＣＣを前記ＰＣＣまたは前記ＵＥに対するセカンダリＣＣ（ＳＣＣ）として識別する手段を備え、
前記ＰＵＣＣＨリソースを決定する手段は、前記ＰＣＣ上で送られる前記ＰＤＣＣＨに関係付けられている最初の制御チャネルエレメント（ＣＣＥ）の番号に基づいて、前記ＵＥによる使用に対して利用可能な前記ＰＵＣＣＨリソースを決定する手段を備える上記［４５］記載の装置。
［４８］前記ＰＤＣＣＨが送られる第１のＣＣを識別する手段は、前記第１のＣＣを前記ＵＥに対するセカンダリＣＣ（ＳＣＣ）として識別する手段を備え、
前記データ送信が送られる第２のＣＣを識別する手段は、前記第２のＣＣを前記ＳＣＣとして識別する手段を備え、
前記ＰＵＣＣＨリソースを決定する手段は、上位レイヤシグナリングによって前記ＵＥに対して設定されているＰＵＣＣＨリソースに基づいて、前記ＵＥによる使用に対して利用可能な前記ＰＵＣＣＨリソースを決定する手段を備える上記［４５］記載の装置。
［４９］前記第１のＣＣ上で第１および第２のＰＤＣＣＨを送り、前記第１のＰＤＣＣＨは、前記第１のＣＣ上での第１のデータ送信に対する第１のダウンリンク許可を含み、前記第２のＰＤＣＣＨは、前記第２のＣＣ上での第２のデータ送信に対する第２のダウンリンク許可を含む手段と、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定する手段と、
前記第２のＰＤＣＣＨの最初のＣＣＥの番号に基づいて、前記ＵＥによる使用に対して利用可能な第２の組のＰＵＣＣＨリソースを決定する手段とをさらに具備する上記［４５］記載の装置。
［５０］前記第１のＣＣ上で第１のＰＤＣＣＨを送り、前記第１のＰＤＣＣＨは、前記第１のＣＣ上での第１のデータ送信に対する第１のダウンリンク許可を含む手段と、
前記第２のＣＣ上で第２のＰＤＣＣＨを送り、前記第２のＰＤＣＣＨは、前記第２のＣＣ上での第２のデータ送信に対する第２のダウンリンク許可を含む手段と、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定する手段と、
上位レイヤシグナリングによって前記ＵＥに対して設定されているＰＵＣＣＨリソースに基づいて、前記ＵＥによる使用に対して利用可能な第２の組のＰＵＣＣＨリソースを決定する手段とをさらに具備する上記［４５］記載の装置。
［５１］ワイヤレス通信のための装置において、
物理ダウンリンク制御チャネル（ＰＤＣＣＨ）がユーザ機器（ＵＥ）に送られる第１のコンポーネントキャリア（ＣＣ）を識別し、前記第１のＣＣは、前記ＵＥに対して設定されている複数のＣＣのうちの１つであり、
前記ＰＤＣＣＨに関係付けられているデータ送信が前記ＵＥに送られる第２のＣＣを識別し、前記第２のＣＣは、前記ＵＥに対して設定されている複数のＣＣのうちの１つであり、
前記ＰＤＣＣＨが前記ＵＥに送られる第１のＣＣと、前記データ送信が前記ＵＥに送られる第２のＣＣとに基づいて、前記ＵＥによる使用に対して利用可能な物理アップリンク制御チャネル（ＰＵＣＣＨ）リソースを決定し、
前記ＰＵＣＣＨリソースに基づいて、前記データ送信に対する肯定応答／否定応答（ＡＣＫ／ＮＡＣＫ）情報を受信する、
ように構成されている少なくとも１つのプロセッサと、
前記少なくとも１つのプロセッサに結合されているメモリとを具備する装置。
［５２］前記少なくとも１つのプロセッサは、
前記第２のＣＣの送信モードを決定し、
前記第２のＣＣの送信モードにさらに基づいて、前記ＵＥによる使用に対して利用可能な前記ＰＵＣＣＨリソースを決定するように構成されている上記［５１］記載の装置。
［５３］前記少なくとも１つのプロセッサは、
前記ＰＤＣＣＨが送られる第１のＣＣを、前記ＵＥに対するプライマリＣＣ（ＰＣＣ）として識別し、
前記データ送信が送られる第２のＣＣを、前記ＰＣＣまたは前記ＵＥに対するセカンダリＣＣ（ＳＣＣ）として識別し、
前記ＰＣＣ上で送られる前記ＰＤＣＣＨに関係付けられている最初の制御チャネルエレメント（ＣＣＥ）の番号に基づいて、前記ＵＥによる使用に対して利用可能な前記ＰＵＣＣＨリソースを決定するように構成されている上記［５１］記載の装置。
［５４］前記少なくとも１つのプロセッサは、
前記ＰＤＣＣＨが送られる第１のＣＣを、前記ＵＥに対するセカンダリＣＣ（ＳＣＣ）として識別し、
前記データ送信が送られる第２のＣＣを、前記ＳＣＣとして識別し、
上位レイヤシグナリングによって前記ＵＥに対して設定されているＰＵＣＣＨリソースに基づいて、前記ＵＥによる使用に対して利用可能な前記ＰＵＣＣＨリソースを決定するように構成されている上記［５１］記載の装置。
［５５］前記少なくとも１つのプロセッサは、
前記第１のＣＣ上で第１および第２のＰＤＣＣＨを送り、前記第１のＰＤＣＣＨは、前記第１のＣＣ上での第１のデータ送信に対する第１のダウンリンク許可を含み、前記第２のＰＤＣＣＨは、前記第２のＣＣ上での第２のデータ送信に対する第２のダウンリンク許可を含み、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定し、
前記第２のＰＤＣＣＨの最初のＣＣＥの番号に基づいて、前記ＵＥによる使用に対して利用可能な第２の組のＰＵＣＣＨリソースを決定するように構成されている上記［５１］記載の装置。
［５６］前記少なくとも１つのプロセッサは、
前記第１のＣＣ上で第１のＰＤＣＣＨを送り、前記第１のＰＤＣＣＨは、前記第１のＣＣ上での第１のデータ送信に対する第１のダウンリンク許可を含み、
前記第２のＣＣ上で第２のＰＤＣＣＨを送り、前記第２のＰＤＣＣＨは、前記第２のＣＣ上での第２のデータ送信に対する第２のダウンリンク許可を含み、
前記第１のＰＤＣＣＨの最初の制御チャネルエレメント（ＣＣＥ）の番号に基づいて、前記ＵＥによる使用に対して利用可能な第１の組のＰＵＣＣＨリソースを決定し、
上位レイヤシグナリングによって前記ＵＥに対して設定されているＰＵＣＣＨリソースに基づいて、前記ＵＥによる使用に対して利用可能な第２の組のＰＵＣＣＨリソースを決定するように構成されている上記［５１］記載の装置。
［５７］コンピュータプログラムプロダクトにおいて、
少なくとも１つのプロセッサに、物理ダウンリンク制御チャネル（ＰＤＣＣＨ）がユーザ機器（ＵＥ）に送られる第１のコンポーネントキャリア（ＣＣ）を識別させるためのコードであって、前記第１のＣＣは、前記ＵＥに対して設定されている複数のＣＣのうちの１つであるコードと、
前記少なくとも１つのプロセッサに、前記ＰＤＣＣＨに関係付けられているデータ送信が前記ＵＥに送られる第２のＣＣを識別させるためのコードであって、前記第２のＣＣは、前記ＵＥに対して設定されている複数のＣＣのうちの１つであるコードと、
前記少なくとも１つのプロセッサに、前記ＰＤＣＣＨが前記ＵＥに送られる第１のＣＣと、前記データ送信が前記ＵＥに送られる第２のＣＣとに基づいて、前記ＵＥによる使用に対して利用可能な物理アップリンク制御チャネル（ＰＵＣＣＨ）リソースを決定させるためのコードと、
前記少なくとも１つのプロセッサに、前記ＰＵＣＣＨリソースに基づいて、前記データ送信に対する肯定応答／否定応答（ＡＣＫ／ＮＡＣＫ）情報を受信させるためのコードとを含む非一時的なコンピュータ読取り可能媒体を具備するコンピュータプログラムプロダクト。
【国際調査報告】
2013535937.tif 000021
2013535937.tif 000022
2013535937.tif 000023
2013535937.tif 000024